(57)【要約】【課題】位置を容易に且つ高精度に調整できるようにする。【解決手段】位置調整部１２５は、調整板１６０に穿設する差込孔１６１をクランク状に形成し、第１差込孔列１６２Ａ及び第２差込孔列１６２Ｂで互いの方向を反対に向けそれぞれＹ方向に沿って長さ４Ｙを周期として配列させ、また第１端辺１６０Ｅ１及び第２端辺１６０Ｅ２から各差込孔１６１までの距離を差込孔列同士で相違させた。さらに保持部１５０は、調整板１６０の方向及び面を相違させた４通りの保持形態で保持するようにした。このため位置調整部１２５は、第１保持形態〜第４保持形態を適宜切り換えることにより、フロントガイド２６に取り付けられた差込部１７０の差込突起１７２Ａ〜１７２Ｄをいずれかの差込孔１６１にそれぞれ差し込んだ際の前面線Ｆの位置を、長さＹ単位で調整することができる。【選択図】図１２
2014098997.tif 000002
【特許請求の範囲】
【請求項１】
所定形状でなる複数の嵌合部が所定方向に沿って所定の嵌合周期ごとに配置された嵌合部列を有する調整体と、
いずれかの上記嵌合部列を所定の保持方向へ向けると共に所定の調整方向に沿って形成された嵌合可能範囲内に位置させるよう、上記調整体を複数の保持形態のいずれかにより保持する保持部と、
上記嵌合部と嵌合する被嵌合部を、上記嵌合可能範囲内にある上記嵌合部列におけるいずれかの上記嵌合部と嵌合させることにより、上記保持部に対する位置が定められる被調整体と
を具え、
上記調整体は、
上記保持部によりいずれかの保持形態で保持されたときに上記嵌合可能範囲内にある上記嵌合部列におけるいずれかの上記嵌合部に上記被嵌合部が嵌合された上記被調整体の位置と、他の保持形態で保持されたときに上記嵌合可能範囲内にある上記嵌合部列におけるいずれかの上記嵌合部に上記被嵌合部が嵌合された上記被調整体の位置との最小距離が、上記嵌合周期よりも短くなるよう、各嵌合部列が配置されている
ことを特徴とする位置調整装置。
【請求項２】
上記調整体は、
同一側面に複数の上記嵌合部列が配置され、
上記保持部は、
上記調整体の上記側面を上記保持方向へ向け、且つ他の側面を互いに異なる複数の方向へそれぞれ向けた形態を、互いに異なる上記保持形態とする
ことを特徴とする請求項１に記載の位置調整装置。
【請求項３】
上記嵌合部は、
上記他の側面を異なる方向へ向けた上記複数の保持形態において、上記被嵌合部とそれぞれ嵌合する
ことを特徴とする請求項２に記載の位置調整装置。
【請求項４】
上記保持部は、
上記調整体の上記側面を上記保持方向へ向け、且つ上記他の側面を互いに反対方向へ向けた２の形態を、それぞれ互いに異なる保持形態とし、
上記調整体は、
一の保持形態において上記保持部における所定の基準点と当接する一の端辺から上記嵌合可能範囲内にある最寄りの上記嵌合部までの距離と、他の保持形態において上記基準点と当接する他の端辺から上記嵌合可能範囲内にある最寄りの上記嵌合部までの距離との差が、上記嵌合周期よりも短い
ことを特徴とする請求項２に記載の位置調整装置。
【請求項５】
上記調整体は、
複数の側面に上記嵌合部列がそれぞれ配置されている
ことを特徴とする請求項１に記載の位置調整装置。
【請求項６】
上記調整体は、
互いに反対方向を向いた両側面に上記嵌合部列がそれぞれ配置されている
ことを特徴とする請求項５に記載の位置調整装置。
【請求項７】
上記調整体は、
互いに平行に配置された複数の上記嵌合部列を有し、
上記被調整体は、
上記複数の嵌合部列それぞれの各嵌合部とそれぞれ嵌合する複数の被嵌合部を有する
ことを特徴とする請求項１に記載の位置調整装置。
【請求項８】
上記保持部は、
上記調整体の上記側面を上記保持方向へ向け、且つ上記他の側面を互いに反対方向へ向けた２の形態を、それぞれ互いに異なる保持形態とし、
上記調整体は、
一の上記嵌合部列を構成する各嵌合部の形状を、他の上記嵌合部列を構成する各嵌合部を上記保持方向に沿った中心軸を中心に半回転させた形状と一致させている
ことを特徴とする請求項１に記載の位置調整装置。
【請求項９】
上記調整体は、
板状に形成され、
上記嵌合部は、
上記調整体の板面を貫通する差込孔でなり、
上記被嵌合体は、
上記差込孔に差し込まれる差込突起でなる
ことを特徴とする請求項１に記載の位置調整装置。
【請求項１０】
上記被調整体は、
上記被嵌合部を上記調整方向に対し互いに異なる方向へ向けた複数の差込形態を有し、上記被嵌合部が上記調整体の上記嵌合部に嵌合される際に上記差込形態を相違させることにより、上記調整方向の位置を上記嵌合周期よりも短い距離だけ相違させる
ことを特徴とする請求項１に記載の位置調整装置。
【請求項１１】
紙葉状の媒体を集積する集積空間の一側面を構成する固定側部と、
所定形状でなる複数の嵌合部が所定方向に沿って所定の嵌合周期ごとに配置された嵌合部列を有する調整体と、
いずれかの上記嵌合部列を所定の保持方向へ向けると共に上記固定側部に離接する方向である調整方向に沿って形成された嵌合可能範囲内に位置させるよう、上記調整体を複数の保持形態のいずれかにより保持する保持部と、
上記嵌合部と嵌合する被嵌合部を、上記嵌合可能範囲内にある上記嵌合部列におけるいずれかの上記嵌合部と嵌合させることにより、上記保持部に対する位置が定められる被調整体と、
上記被調整体に取り付けられ、上記集積空間における上記固定側部と対向する側面を構成する可動側部と
を具え、
上記調整体は、
上記保持部によりいずれかの保持形態で保持されたときに上記嵌合可能範囲内にある上記嵌合部列におけるいずれかの上記嵌合部に上記被嵌合部が嵌合された上記被調整体の位置と、他の保持形態で保持されたときに上記嵌合可能範囲内にある上記嵌合部列におけるいずれかの上記嵌合部に上記被嵌合部が嵌合された上記被調整体の位置との最小距離が、上記嵌合周期よりも短くなるよう、各嵌合部列が配置されている
ことを特徴とする紙葉類処理装置。
【発明の詳細な説明】
【技術分野】
【０００１】
本発明は位置調整装置及び紙葉類処理装置に関し、例えば紙幣のような紙葉状の媒体を投入して所望の取引を行う現金自動預払機（ＡＴＭ）等に適用して好適なものである。
【背景技術】
【０００２】
従来、金融機関等で使用される現金自動預払機等においては、顧客との取引内容に応じて、例えば顧客に紙幣や硬貨等の現金を入金させ、また顧客へ現金を出金するようになされている。
【０００３】
現金自動預払機としては、例えば顧客との間で紙幣の授受を行う紙幣入出金口と、内部で紙幣を搬送する搬送部と、投入された紙幣の金種、真偽及び正損等を鑑別する鑑別部と、投入された紙幣を一時的に保留する一時保留部と、金種ごとに紙幣を収納する紙幣カセットとを有するものがある。
【０００４】
この現金自動預払機は、入金取引において、顧客が紙幣入出金口に紙幣を投入すると、投入された紙幣を搬送部により搬送し、鑑別部により正常紙幣と鑑別された紙幣を一時保留部で保留する一方、取引すべきでないと鑑別された紙幣を紙幣入出金口へ戻して顧客に返却する。続いて現金自動預払機は、顧客により入金金額が確定されると、一時保留部に保留した紙幣の金種を鑑別部により再鑑別し、搬送部により搬送してその金種に応じた紙幣カセットへ収納する。
【０００５】
かかる紙幣カセットのなかには、内部に空間を形成し、当該空間内で紙幣の紙面を上下に向けるように集積して収納するようになされたものがある（例えば、特許文献１参照）。
【０００６】
例えば図３２に側面図を示すように、従来の紙幣カセット９１７は、リバースガイド２４及びフロントガイド２６により前後から挟まれ、且つ上下に移動するステージ２８の上側部分に、紙葉状の媒体である紙幣ＢＬを集積するための集積空間ＣＳを形成している。
【０００７】
紙幣カセットは、短手方向を進行方向として搬送部により搬送されてきた紙幣ＢＬをフィードローラ３２及びリバースローラ３３の間に挟み込み、回転駆動させることにより集積空間ＣＳ内へ放出する。放出された紙幣ＢＬは、ビルストッパ２７に衝突して衝撃が吸収された後、羽根車３４により下方向へ叩き落とされ、集積済の紙幣ＢＬの最上部に重ねられる。
【先行技術文献】
【特許文献】
【０００８】
【特許文献１】特開２００７−２０６７６８公報（第１図）
【発明の概要】
【発明が解決しようとする課題】
【０００９】
ところで紙幣カセットでは、仮にリバースガイド２４及びフロントガイド２６の間隔であるガイド間隔Ｌ１が、紙幣ＢＬにおける短手方向の長さである短手長さＬ２に対して不適切であった場合、紙幣ＢＬを整然と集積できずに集積不良を発生させる恐れがある。
【００１０】
例えば紙幣カセット９１７では、例えば図３３（Ａ）に示すように、紙幣ＢＬが集積された紙幣ＢＬと側壁との隙間に入ってしまう恐れや、図３３（Ｂ）に示すように紙幣ＢＬがリバースガイド２４及びフロントガイド２６の間に詰まり、さらには折れ曲がってしまう恐れもある。
【００１１】
そこで紙幣カセット９１７では、紙幣ＢＬの短手長さＬ２に合わせた長さのカラ９５１及び取付ねじ９５２を用意し、外壁２０Ａに対しカラ９５１を介して取付ねじ９５２によりフロントガイド２６を固定している。
【００１２】
しかしながら紙幣の大きさは、国や地域により、また金種により、様々に異なる場合がある。このため紙幣カセット９１７では、収納すべき紙幣ＢＬに応じて、その短手長さＬ２に適したガイド間隔Ｌ１に調整する必要がある。
【００１３】
そこで紙幣カセット９１７では、図３４（Ａ）及び（Ｂ）に示すように、対応すべき紙幣ＢＬの短手長さＬ２に応じた長さのカラ９５１及び取付ねじ９５２に交換することにより、フロントガイド２６の位置を精度良く調整してガイド間隔Ｌ１を変更でき、当該紙幣ＢＬに対応することができる。
【００１４】
しかしながら紙幣カセット９１７では、収納したい紙幣ＢＬの短手長さＬ２の種類に応じた数だけ異なる長さのカラ９５１及び取付ねじ９５２が必要となり、これらを用意し管理する手間も要してしまう、という問題があった。
【００１５】
本発明は以上の点を考慮してなされたもので、位置を容易に且つ高精度に調整できる位置調整装置及び紙葉状の媒体を集積する空間の大きさを容易に且つ高精度に調整できる紙葉類処理装置を提案しようとするものである。
【課題を解決するための手段】
【００１６】
かかる課題を解決するため本発明の位置調整装置においては、所定形状でなる複数の嵌合部が所定方向に沿って所定の嵌合周期ごとに配置された嵌合部列を有する調整体と、いずれかの嵌合部列を所定の保持方向へ向けると共に所定の調整方向に沿って形成された嵌合可能範囲内に位置させるよう、調整体を複数の保持形態のいずれかにより保持する保持部と、嵌合部と嵌合する被嵌合部を、嵌合可能範囲内にある嵌合部列におけるいずれかの嵌合部と嵌合させることにより、保持部に対する位置が定められる被調整体とを設け、調整体は、保持部によりいずれかの保持形態で保持されたときに嵌合可能範囲内にある嵌合部列におけるいずれかの嵌合部に被嵌合部が嵌合された被調整体の位置と、他の保持形態で保持されたときに嵌合可能範囲内にある嵌合部列におけるいずれかの嵌合部に被嵌合部が嵌合された被調整体の位置との最小距離が、嵌合周期よりも短くなるよう、各嵌合部列が配置されているようにした。
【００１７】
本発明の位置調整装置は、被調整体の被嵌合部を、保持部に保持された調整体における嵌合可能範囲内にあるいずれかの嵌合部と嵌合させることにより、被調整体の位置を調整方向に沿って嵌合周期ごとに調整することができ、さらに保持部による調整体の保持形態を切り換えることにより、被調整体の位置を嵌合周期よりも短い距離だけ相違させることができるので、結果的に被調整体の位置を嵌合周期よりも短い単位で調整することができる。
【００１８】
また本発明の紙葉類処理装置においては、紙葉状の媒体を集積する集積空間の一側面を構成する固定側部と、所定形状でなる複数の嵌合部が所定方向に沿って所定の嵌合周期ごとに配置された嵌合部列を有する調整体と、いずれかの嵌合部列を所定の保持方向へ向けると共に固定側部に離接する方向である調整方向に沿って形成された嵌合可能範囲内に位置させるよう、調整体を複数の保持形態のいずれかにより保持する保持部と、嵌合部と嵌合する被嵌合部を、嵌合可能範囲内にある嵌合部列におけるいずれかの嵌合部と嵌合させることにより、保持部に対する位置が定められる被調整体と、被調整体に取り付けられ、集積空間における固定側部と対向する側面を構成する可動側部とを設け、調整体は、保持部によりいずれかの保持形態で保持されたときに嵌合可能範囲内にある嵌合部列におけるいずれかの嵌合部に被嵌合部が嵌合された被調整体の位置と、他の保持形態で保持されたときに嵌合可能範囲内にある嵌合部列におけるいずれかの嵌合部に被嵌合部が嵌合された被調整体の位置との最小距離が、嵌合周期よりも短くなるよう、各嵌合部列が配置されているようにした。
【００１９】
本発明の紙葉類処理装置は、被調整体の被嵌合部を、保持部に保持された調整体における嵌合可能範囲内にあるいずれかの嵌合部と嵌合させることにより、被調整体の位置を調整方向に沿って嵌合周期ごとに調整することができ、さらに保持部による調整体の保持形態を切り換えることにより、被調整体の位置を嵌合周期よりも短い距離だけ相違させることができるので、結果的に被調整体に取り付けられた可動側部と固定側部との距離を、嵌合周期よりも短い単位で調整することができる。
【発明の効果】
【００２０】
本発明によれば、被調整体の被嵌合部を、保持部に保持された調整体における嵌合可能範囲内にあるいずれかの嵌合部と嵌合させることにより、被調整体の位置を調整方向に沿って嵌合周期ごとに調整することができ、さらに保持部による調整体の保持形態を切り換えることにより、被調整体の位置を嵌合周期よりも短い距離だけ相違させることができるので、結果的に被調整体の位置を嵌合周期よりも短い単位で調整することができる。かくして本発明は、位置を容易に且つ高精度に調整できる位置調整装置を実現できる。
【００２１】
また本発明によれば、被調整体の被嵌合部を、保持部に保持された調整体における嵌合可能範囲内にあるいずれかの嵌合部と嵌合させることにより、被調整体の位置を調整方向に沿って嵌合周期ごとに調整することができ、さらに保持部による調整体の保持形態を切り換えることにより、被調整体の位置を嵌合周期よりも短い距離だけ相違させることができるので、結果的に被調整体に取り付けられた可動側部と固定側部との距離を、嵌合周期よりも短い単位で調整することができる。かくして本発明は、紙葉状の媒体を集積する空間の大きさを容易に且つ高精度に調整できる紙葉類処理装置を実現できる。
【図面の簡単な説明】
【００２２】
【図１】現金自動預払機の外観構成を示す略線的斜視図である。
【図２】紙幣入出金機の構成を示す略線図である。
【図３】紙幣カセットの構成を示す略線図である。
【図４】紙幣カセットの構成を示す略線図である。
【図５】紙幣カセットの構成を示す略線図である。
【図６】第１の実施の形態による位置調整部の構成を示す略線的斜視図である。
【図７】第１の実施の形態による調整板の構成を示す略線図である。
【図８】第１の実施の形態における保持形態を示す略線図である。
【図９】第１の実施の形態における差込部の構成を示す略線図である。
【図１０】第１の実施の形態における差込部のフロントガイドへの取付を示す略線図である。
【図１１】第１の実施の形態におけるフロントガイドの位置調整を示す略線図である。
【図１２】第２の実施の形態による位置調整部の構成を示す略線的斜視図である。
【図１３】第２の実施の形態による保持部の構成を示す略線図である。
【図１４】第２の実施の形態による調整板の構成を示す略線図である。
【図１５】第２の実施の形態における保持形態を示す略線図である。
【図１６】第２の実施の形態における差込部のフロントガイドへの取付を示す略線的斜視図である。
【図１７】第２の実施の形態における差込部の構成を示す略線図である。
【図１８】第３の実施の形態による位置調整部の構成を示す略線的斜視図である。
【図１９】第３の実施の形態による調整板の構成を示す略線図である。
【図２０】第３の実施の形態における保持形態を示す略線図である。
【図２１】第３の実施の形態における差込部のフロントガイドへの取付を示す略線的斜視図である。
【図２２】第３の実施の形態における差込部の構成を示す略線図である。
【図２３】他の実施の形態による調整板の構成を示す略線図である。
【図２４】他の実施の形態による保持部及び調整板の構成を示す略線図である。
【図２５】他の実施の形態による調整板の構成を示す略線図である。
【図２６】他の実施の形態による保持部及び調整板の構成を示す略線図である。
【図２７】他の実施の形態による保持形態を示す略線図である。
【図２８】他の実施の形態による差込部の構成を示す略線図である。
【図２９】他の実施の形態による保持形態を示す略線図である。
【図３０】他の実施の形態による調整板の構成を示す略線図である。
【図３１】他の実施の形態による被調整体の構成を示す略線図である。
【図３２】従来の紙幣カセットの構成を示す略線図である。
【図３３】従来の紙幣カセットにおける集積不良の発生を示す略線図である。
【図３４】従来の紙幣カセットにおけるフロントガイドの位置調整を示す略線図である。
【発明を実施するための形態】
【００２３】
以下、発明を実施するための形態（以下実施の形態とする）について、図面を用いて説明する。
【００２４】
［１．第１の実施の形態］
［１−１．現金自動預払機の全体構成］
図１に外観を示すように、紙葉類処理装置としての現金自動預払機１は、箱状の筐体２を中心に構成されており、例えば金融機関等に設置され、顧客との間で入金取引や出金取引等の現金に関する取引を行うようになされている。
【００２５】
筐体２は、その前側に顧客が対峙した状態で紙幣の投入やタッチパネルによる操作等をしやすい箇所、すなわち前面の上部から上面に渡る部分が一部切り落とされたような形状となっており、この部分に接客部３が設けられている。
【００２６】
接客部３は、顧客との間で現金や通帳等を直接やり取りすると共に、取引に関する情報の通知や操作指示の受付を行うようになされており、カード入出口４、通帳入出口５、紙幣入出金口６、硬貨入出金口７及び表示操作部８が設けられている。
【００２７】
カード入出口４は、キャッシュカード等の各種カードが挿入または排出される部分である。カード入出口４の奥側には、各種カードに磁気記録された口座番号等の読み取りを行うカード処理部（後述する）が設けられている。
【００２８】
通帳入出口５は、通帳が挿入または排出される部分である。通帳入出口５の奥側には、通帳に記録された磁気情報の読み取りや取引内容の印字処理等を行う通帳処理部（後述する）が設けられている。
【００２９】
紙幣入出金口６は、顧客が入金する紙幣が投入されると共に、顧客へ出金する紙幣が排出される部分である。また紙幣入出金口６は、シャッタを駆動することにより開放又は閉塞するようになされている。
【００３０】
硬貨入出金口７は、顧客が入金する硬貨が投入されると共に、顧客へ出金する硬貨が排出される部分である。また硬貨入出金口７は、紙幣入出金口６と同様にシャッタを駆動することにより開放又は閉塞するようになされている。
【００３１】
表示操作部８は、取引に際して操作画面を表示するＬＣＤ（Liquid Crystal Display）と、取引の種類の選択、暗証番号や取引金額等を入力するタッチセンサとが一体化されたタッチパネルとなっている。
【００３２】
以下では、現金自動預払機１のうち顧客が対峙する正面側を前側とし、その反対を後側とし、当該前側に対峙した顧客から見て左及び右をそれぞれ左側及び右側とし、さらに上側及び下側を定義して説明する。
【００３３】
筐体２内には、現金自動預払機１全体を統括制御する主制御部９や、紙幣ＢＬに関する種々の処理を行う紙幣入出金機１０等が設けられている。
【００３４】
主制御部９は、図示しないＣＰＵ（Central Processing Unit）を中心に構成されており、図示しないＲＯＭやフラッシュメモリ等から所定のプログラムを読み出して実行することにより、入金取引や出金取引等の種々の処理を行うようになされている。
【００３５】
また主制御部９は、内部にＲＡＭ（Random Access Memory）、ハードディスクドライブやフラッシュメモリ等でなる記憶部を有しており、この記憶部に種々の情報を記憶させるようになされている。
【００３６】
紙幣入出金機１０は、図２に側面図を示すように、紙幣ＢＬに関する種々の処理を行う複数の部分が組み込まれている。また紙幣入出金機１０の各部分は、紙幣制御部１１により制御されるようになされている。
【００３７】
紙幣制御部１１は、主制御部９と同様、図示しないＣＰＵを中心に構成されており、図示しないＲＯＭやフラッシュメモリ等から所定のプログラムを読み出して実行することにより、紙幣ＢＬの搬送先を決定する処理等、種々の処理を行うようになされている。
【００３８】
紙幣制御部１１は、例えば顧客が紙幣を入金する入金取引を行う場合、表示操作部８（図１）を介して所定の操作入力を受け付けた後、紙幣入出金口６（図１）のシャッタを開いて入出金部１２内へ紙幣を投入させる。
【００３９】
入出金部１２は、収容器１２Ａに紙幣が投入されると、紙幣入出金口６のシャッタを閉じて当該収容器１２Ａから紙幣を１枚ずつ取り出し、搬送部１３へ受け渡す。搬送部１３は、長方形の紙葉状に構成された紙幣を短手方向に沿って進行させ、鑑別部１４へ搬送する。
【００４０】
鑑別部１４は、その内部で紙幣を搬送しながら当該紙幣の金種及び真偽、並びに損傷の程度等を鑑別し、その鑑別結果を紙幣制御部１１へ通知する。これに応じて紙幣制御部１１は、取得した鑑別結果に基づいて当該紙幣の搬送先を決定する。
【００４１】
このとき搬送部１３は、鑑別部１４において正常と鑑別された紙幣（いわゆる正券）を一時保留部１５へ搬送する等して一時的に保留させる一方、取引すべきでないと鑑別された紙幣（いわゆる損券や偽券等）を入出金部１２へ搬送して顧客に返却する。
【００４２】
その後紙幣制御部１１は、表示操作部８を介して顧客に入金金額を確定させ、一時保留部１５に保留している紙幣を搬送部１３により鑑別部１４へ搬送してその金種及び損傷の程度等を鑑別させ、その鑑別結果を取得する。
【００４３】
そして紙幣制御部１１は、紙幣の損傷の程度が大きければ、これを再利用すべきでない紙幣として搬送部１３によりリジェクトカセット１６へ搬送して収納させ、損傷の程度が小さければ、これを再利用すべき紙幣として搬送部１３により搬送させ、その金種に応じた紙幣カセット１７に収納させるようになされている。
【００４４】
また紙幣制御部１１は、例えば顧客が紙幣ＢＬを出金する出金取引を行う場合、表示操作部８（図１）を介して所定の操作入力を受け付けた後、出金すべき金額に応じた紙幣ＢＬを紙幣カセット１７から繰り出させ、搬送部１３により鑑別部１４へ搬送させる。
【００４５】
続いて紙幣制御部１１は、この紙幣ＢＬを鑑別部１４により鑑別させた上で入出金部１２へ搬送し、紙幣入出金口６（図１）のシャッタを開いて顧客に取り出させる。
【００４６】
このように紙幣カセット１７は、搬送部１３により搬送されてきた紙幣ＢＬを内部に取り込んで収納し、また内部から紙幣ＢＬを繰り出して当該搬送部１３へ受け渡すようになされている。
【００４７】
［１−２．紙幣カセットの構成］
紙幣カセット１７は、図３、図４及び図５に模式的に示すように、直方体状の筐体２１内に紙幣ＢＬを取り込んで集積するようになされている。
【００４８】
因みに図３は左側面図を表し、図４（Ａ）は図３のＡ１−Ａ２断面図、すなわち後内側面図を表し、図４（Ｂ）は図３のＢ１−Ｂ２断面図、すなわち前内側面図を表し、図５は図３のＣ１−Ｃ２断面図、すなわち平面図を表している。また説明の都合上、一部の部品については簡略化若しくは省略している。
【００４９】
筐体２１は前後、左右及び上下の各側面をほぼ閉塞しており、内部に集積された紙幣ＢＬや各部品等を保護するようになされている。また筐体２１の前側部分には、一様な平板状の前側板２２が設けられている。
【００５０】
筐体２１の後側板における上寄りの箇所には、左右に長く上下に短い紙幣入出孔２１Ｈが穿設されており、紙幣ＢＬの紙面を上下に向け短手方向を進行方向として筐体２１内又は筐体２１外へ進行させるようになされている。
【００５１】
紙幣入出孔２１Ｈの前方、すなわち筐体２１の内側には、紙幣ＢＬを搬送路Ｗに沿って前後方向へ進行させるための搬送ガイド２３が設けられている。搬送ガイド２３は、搬送路Ｗの上下にそれぞれ配置された２枚の板状部材により構成されている。
【００５２】
搬送ガイド２３からやや離れた前方下側には、前後に薄い板状のリバースガイド２４が設けられている。このリバースガイド２４は、筐体２１の底部まで到達している。
【００５３】
一方、前側板２２の後側、すなわち筐体２１の前内側面には、位置調整部２５を介してフロントガイド２６が左右に１本ずつ取り付けられている。
【００５４】
フロントガイド２６は、上下方向に長く前後方向及び左右方向に短い直方体状に形成され、筐体２１の上端付近から下端付近まで到達しており、また容易に変形しないよう強固な部材により構成されている。
【００５５】
位置調整部２５は、各フロントガイド２６の上端及び下端にそれぞれ設けられており、前側板２２に対するフロントガイド２６の位置を固定するようになされている。
【００５６】
また位置調整部２５は、フロントガイド２６とリバースガイド２４との間隔を、紙幣ＢＬにおける短手方向の長さＬ２よりも僅かに長いガイド間隔Ｌ１とするよう、当該フロントガイド２６を前後方向に位置調整した上で保持している（詳しくは後述する）。
【００５７】
フロントガイド２６における後面上寄りの箇所には、ビルストッパ２７が設けられている。ビルストッパ２７は、フロントガイド２６よりも小さい直方体状に形成されており、図示しない弾性体を介してフロントガイド２６に取り付けられている。
【００５８】
筐体２１内におけるリバースガイド２４及び前側板２２の間には、ステージ２８が設けられている。ステージ２８は、上下に薄い板状に形成されており、その上面に紙幣ＢＬ（）を載置し得るようになされている。
【００５９】
またステージ２８は、フロントガイド２６を回避する矩形状の切欠部が形成されており、さらに図示しない駆動機構により上下方向へ移動し得るようになされている。
【００６０】
このため筐体２１内には、リバースガイド２４及びフロントガイド２６に前後方向から挟まれ、且つステージ２８の上側となる空間に、紙幣ＢＬを集積するための集積空間ＣＳが形成されている。
【００６１】
一方、搬送ガイド２３の前方上側には、フィードシャフト３１に挿通されたフィードローラ３２が左右に１個ずつ配置されている。フィードローラ３２は、摩擦力の低い材料により左右に薄い円柱状に形成されており、その外周における一部分に摩擦力が高い材料でなる掻出部３２Ａが設けられている。
【００６２】
フィードローラ３２は、図示しない動力伝達系によって図３における時計回り又は反時計回りに回転駆動されることにより、紙幣ＢＬを後方向又は前方向へ進行させるようになされている。
【００６３】
また搬送ガイド２３の前方下側には、左右のフィードローラ３２と互いの周側面を一部のみ当接させる箇所に、すなわち左右方向に僅かにオフセットした箇所に、薄い円柱状のリバースローラ３３がそれぞれ設けられている。以下、フィードローラ３２及びリバースローラ３３が当接する箇所をゲートＧとも呼ぶ。
【００６４】
リバースローラ３３は、図示しない動力伝達系によって図３における時計回りへのみ回転駆動されるようになされている。またリバースローラ３３よりも左右の外方には、羽根車３４が２個ずつ所定の間隔を空けるように配置されている。
【００６５】
因みにリバースガイド２４は、リバースローラ３３及び羽根車３４に対応する部分にそれぞれ所定形状の孔が穿設されており、リバースローラ３３及び羽根車３４の一部を集積空間ＣＳ内へ露出させるようになされている。
【００６６】
羽根車３４は、弾力性を有し摩擦力が高い材料で構成された突起部が中心部分から放射状に延長されており、図示しない駆動機構により回転されるようになされている。また羽根車３４は、図示しない退避機構により、前下方へ移動して突起部を集積空間ＣＳ内から一時的に退避させ得るようにもなされている。
【００６７】
フィードローラ３２の左右外方には、フィードシャフト３１が挿通されると共に前方へ延設されたピッカアーム３５がそれぞれ設けられている。各ピッカアーム３５の前端には、ピッカシャフト３６がそれぞれ挿通されており、各ピッカシャフト３６には複数のピッカローラ３７が挿通されている。
【００６８】
ピッカローラ３７は、フィードローラ３２と同様の薄い円柱状に構成されており、集積空間ＣＳのほぼ真上に位置している。またピッカローラ３７は、フィードシャフト３１を中心として、ピッカアーム３５及びピッカシャフト３６と共に回動することにより、上下に移動し得るようになされている。
【００６９】
フィードシャフト３１とピッカシャフト３６との間には、駆動ベルト３８が架け渡されている。駆動ベルト３８は、フィードシャフト３１の回転に伴って走行することにより、駆動力をピッカシャフト３６へ伝達する。
【００７０】
このためピッカシャフト３６に挿通されたピッカローラ３７は、フィードシャフト３１に挿通されたフィードローラ３２と同期して回転し得るようになされている。
【００７１】
さらに、搬送ガイド２３の上下には、走行センサ３９が設けられている。走行センサ３９は、搬送ガイド２３の下側に配置され所定の検出光を発行する発光部と、搬送ガイド２３の上側に配置され当該検出光を受光し、その受光結果を表す受光信号を紙幣制御部１１（図２）へ供給する受光部とにより構成されている。因みに搬送ガイド２３には、検出光を通過させるための通過孔が適宜穿設されている。
【００７２】
走行センサ３９は、搬送ガイド２３の間に紙幣ＢＬがある場合には、検出光が紙幣ＢＬにより遮光されるため、受光部により検出光を受光しない。一方走行センサ３９は、搬送ガイド２３の間に紙幣ＢＬが無い場合には、検出光を受光する。
【００７３】
このため紙幣制御部１１は、走行センサ３９からの受光信号を基に、搬送ガイド２３の間に紙幣ＢＬがあるか否かを認識することができる。
【００７４】
またピッカローラ３７の上方とリバースローラ３３の下方との間には、上面センサ４０が設置されている。上面センサ４０は、走行センサ３９と同様に発光部及び受光部により構成されており、その検出光が集積空間ＣＳ内及びステージ２８の上面を通過するように配置されている。因みにステージ２８には、上面センサ４０の検出光を通過させるための通過孔が適宜穿設されている。
【００７５】
上面センサ４０は、ステージ２８上に紙幣ＢＬがある場合には、検出光が紙幣ＢＬにより遮光されるため、受光部により検出光を受光しない。一方上面センサ４０は、ステージ２８上に紙幣ＢＬが無い場合には、検出光を受光する。
【００７６】
このため紙幣制御部１１は、上面センサ４０からの受光信号を基に、ステージ２８上に紙幣ＢＬがあるか否かを認識することができる。
【００７７】
かかる構成により紙幣カセット１７は、紙幣ＢＬを内部へ収納する際、まずステージ２８をやや下方へ移動させることにより、既に当該ステージ２８上に集積されている紙幣ＢＬの最上面とピッカローラ３７との間隔を広げて、十分な大きさの集積空間ＣＳを形成する。
【００７８】
また紙幣カセット１７は、フィードローラ３２を図３における反時計回りに、リバースローラ３３及び羽根車３４を時計回りに、それぞれ回転させる。
【００７９】
そして紙幣カセット１７は、搬送部１３（図２）により紙幣ＢＬが搬送されてくると、搬送路Ｗに沿って搬送ガイド２３の間を前方へ進行させ、当該紙幣ＢＬをフィードローラ３２及びリバースローラ３３の間に挟持する。
【００８０】
フィードローラ３２及びリバースローラ３３は、それぞれ反時計回り及び時計回りに回転することにより、ゲートＧから前方の集積空間ＣＳ内へ紙幣ＢＬを放出する。このとき放出された紙幣ＢＬは、集積空間ＣＳ内を前方へ滑空し、ビルストッパ２７に衝突する。
【００８１】
ビルストッパ２７は、図示しない弾性体を変形させて前方へ僅かに移動することにより紙幣ＢＬの運動エネルギーを吸収した後、当該弾性体の復元作用により当該紙幣ＢＬを僅かに後方へ押し戻す。
【００８２】
その後紙幣ＢＬは、羽根車３４により後側の端部から下方へ叩き落とされ、ステージ２８上に集積済の紙幣ＢＬの上に積み重ねられる。
【００８３】
このとき紙幣カセット１７では、フロントガイド２６とリバースガイド２４との間隔が、紙幣ＢＬにおける短手長さＬ２よりも僅かに長い適切なガイド間隔Ｌ１に調整されているため、当該紙幣ＢＬを整然と集積することができる。
【００８４】
因みに紙幣カセット１７は、紙幣ＢＬの集積枚数が増加するに連れてステージ２８を徐々に下方へ移動させることにより、集積空間ＣＳの高さをほぼ一定に保つようになされている。
【００８５】
一方、紙幣カセット１７は、内部に収納している紙幣ＢＬを外部へ繰り出す際、まずステージ２８をやや上方へ移動させることにより、既に当該ステージ２８上に集積されている紙幣ＢＬの最上面をピッカローラ３７に当接させる。
【００８６】
また紙幣カセット１７は、フィードローラ３２及びこれと連動するピッカローラ３７、並びにリバースローラ３３を図３における時計回りに回転させると共に、羽根車３４を前下方へ移動させて突起部を集積空間ＣＳ内から一時的に退避させる。
【００８７】
そして紙幣カセット１７は、ステージ２８上に集積されている紙幣ＢＬのうち最上位の紙幣ＢＬを、ピッカローラ３７の回転により後方へ送り出す。この紙幣ＢＬは、後側の端部をゲートＧに到達させ、フィードローラ３２及びリバースローラ３３により挟持される。
【００８８】
ここで紙幣カセット１７は、フィードローラ３２及びリバースローラ３３の双方を時計回りに回転させており、且つフィードローラ３２の周側面に摩擦力の大きい掻出部３２Ａを設けている。
【００８９】
このため、仮にピッカローラ３７により送り出された紙幣ＢＬが２枚以上重なった状態であれば、最上面の紙幣ＢＬを１枚のみ後方へ進行させると共にそれ以外の紙幣ＢＬを集積空間ＣＳ内に残すことにより、当該紙幣ＢＬを１枚単位に分離する。その後紙幣ＢＬは、搬送ガイド２３の間を後方へ進行し、さらに搬送部１３（図２）により紙幣入出金機１０内へ搬送される。
【００９０】
このように紙幣カセット１７は、フロントガイド２６とリバースガイド２４との間隔を、紙幣ＢＬにおける短手長さＬ２よりも僅かに長いガイド間隔Ｌ１に調整することにより、当該紙幣ＢＬを集積空間ＣＳ内に整然と集積し得るようになされている。
【００９１】
［１−３．位置調整部の構成］
次に、位置調整部２５の構成について説明する。図４（Ｂ）に示したように、紙幣カセット１７には各フロントガイド２６の上側及び下側に位置調整部２５がそれぞれ設けられているが、以下では１のフロントガイド２６の上側に設けられた１の位置調整部２５を中心に説明する。
【００９２】
なお、フロントガイド２６の下側に設けられた位置調整部２５は、当該フロントガイド２６の上側に設けられた位置調整部２５と上下対称に構成されている。
【００９３】
位置調整部２５は、図６に模式的な分解斜視図を示すように、大きく分けて保持部５０、調整板６０及び差込部７０により構成されている。
【００９４】
［１−３−１．保持部の構成］
保持部５０は、前側板２２から前方へ向けて突出するように設けられた２本の保持アーム５１及び５２を中心に構成されている。
【００９５】
保持アーム５１は、前後方向に長く、上下方向及び左右方向に短い直方体状に構成されている。また保持アーム５１の右側面には、上下の中央部分に、周囲よりも左方向へ窪んだ溝部５１Ｄが前後方向に沿って形成されている。
【００９６】
保持アーム５２は、保持アーム５１の右側に、フロントガイド２６における左右方向の長さよりも長い所定間隔だけ当該保持アーム５１から離れた箇所に設けられている。また保持アーム５２は、保持アーム５１と左右対称に構成されており、溝部５１Ｄと対応する溝部５２Ｄが形成されている。
【００９７】
以下では、説明の都合上、前側板２２の後面上にあり保持アーム５１及び保持アーム５２のほぼ中間となる点を、保持部５０における位置の基準点となる保持基準点Ｑと呼ぶ。また、保持基準点Ｑの後方における溝部５１Ｄ及び５２Ｄに挟まれた前後に長い範囲を、差込可能範囲５０Ａと呼ぶ。
【００９８】
さらに前側板２２における保持アーム５１の左側には、ねじ孔５３が穿設されている。このねじ孔５３には、ワッシャ５４を挿通した固定ねじ５５が螺合されるようになされている。
【００９９】
［１−３−２．調整板の構成］
調整体としての調整板６０は、所定の金属材料で構成されており、上下に薄い扁平な直方体状に、換言すれば板面を上下方向に向けた長方形の板状に、形成されている。
【０１００】
調整板６０には、嵌合部としての差込孔６１が穿設されている。この差込孔６１は、左右に長く前後に短い扁平な角孔でなり、調整板６０を厚さ方向に貫通している。また差込孔６１は、調整方向である前後方向に所定間隔ごとに複数穿設されることにより、嵌合部列としての差込孔列６２を構成している。
【０１０１】
図７に示すように、調整板６０は、図６における左右方向に相当するＸ方向に関し、両端から長さＸ１ずつ離れた中央部分に、所定の長さＸ２の差込孔６１を位置させている。
【０１０２】
また調整板６０は、図６における前後方向に相当するＹ方向に関し、所定の微小長さである長さＹを単位とした罫線に合わせるようにして、５個の差込孔６１（６１Ａ、６１Ｂ、６１Ｃ、６１Ｄ及び６１Ｅ）をそれぞれ位置させている。因みに長さＹは、例えば約０．３［ｍｍ］〜約２［ｍｍ］程度である。
【０１０３】
差込孔６１Ａは、第１端辺６０Ｅ１から２Ｙだけ離れた箇所に、Ｘ方向に長さＸ２でありＹ方向に長さ２Ｙ（すなわち長さＹの２倍）である角孔として形成されている。すなわち差込孔６１Ａは、ＸＹ平面上で長方形となっており、半回転させた場合にもＸ方向に長さＸ２でありＹ方向に長さ２Ｙである長方形となる。
【０１０４】
差込孔６１Ｂは、差込孔６１ＡからＹ方向に長さ２Ｙだけ離れた箇所に、すなわち第１端辺６０Ｅ１からＹ方向に長さ６Ｙだけ離れた箇所に、差込孔６１Ａと同様にＸ方向に長さＸ２でありＹ方向に長さ２Ｙである角孔として形成されている。
【０１０５】
これと同様に、差込孔６１Ｃ、６１Ｄ及び６１Ｅは、いずれもＸ方向に長さＸ２でありＹ方向に長さ２Ｙである角孔として形成され、且つ互いの間隔をＹ方向に長さ２Ｙずつとするよう、Ｙ方向に沿った一直線上に順次配列されている。
【０１０６】
このため差込孔６１Ａ、６１Ｂ、６１Ｃ、６１Ｄ及び６１Ｅは、第１端辺６０Ｅ１からの距離が、それぞれ長さ２Ｙ、６Ｙ、１０Ｙ、１４Ｙ及び１８Ｙとなっており、これを数式を用いて表すと、２Ｙ＋ｎ×４Ｙ（ただしｎは１から５までの整数）となる。
【０１０７】
また差込孔６１Ｅと第２端辺６０Ｅ２との間隔は長さ４Ｙとなっている。このため差込孔６１Ｅ、６１Ｄ、６１Ｃ、６１Ｂ及び６１Ａは、第２端辺６０Ｅ２からの距離が、それぞれ長さ４Ｙ、８Ｙ、１２Ｙ、１６Ｙ及び２０Ｙとなっており、これを数式を用いて表すと、ｎ×４Ｙ（ただしｎは１から５までの整数）となる。
【０１０８】
すなわち調整板６０は、Ｙ方向に沿って長さ４Ｙを周期として差込孔６１Ａ〜６１Ｅを等間隔に配列しており、且つ第１端辺６０Ｅ１及び第２端辺６０Ｅ２から各差込孔６１までの距離を互いに長さ２Ｙずつ相違させている。
【０１０９】
因みに調整板６０では、加工に要する時間や費用の観点から量産を実現し得る加工方法として、打ち抜き工法（いわゆるパンチ）により各差込孔６１が形成されている。これに伴い調整板６０では、穿設可能な孔の最小長さが２Ｙとなっており、また近接する孔同士の最小間隔も２Ｙとなっている。
【０１１０】
さらに調整板６０には、第２端辺６０Ｅ２の近傍に数字の「１」及びこれを囲む円でなる刻印６０Ｌ１が刻まれると共に、第１端辺６０Ｅ１の近傍に数字の「２」及びこれを囲む円でなる刻印６０Ｌ２が刻まれている。
【０１１１】
因みに調整板６０は、全体的に、Ｘ方向の中心を通りＹ方向に沿ったＹ軸線ＹＣを中心として、線対称に形成されている。このため調整板６０は、Ｙ軸線ＹＣを中心に半回転され板面が反転された場合にも、全体形状並びに差込孔６１Ａ〜６１Ｅの形状及び位置を含めて、半回転される前と同等に保つことができる。
【０１１２】
そこで調整板６０は、第２端辺６０Ｅ２の近傍に刻まれた刻印６０Ｌ１の裏側にも同様の刻印６０Ｌ１が刻まれると共に、第１端辺６０Ｅ１の近傍に刻まれた刻印６０Ｌ２の裏側にも同様の刻印６０Ｌ２が刻まれている。これにより調整板６０は、表裏いずれの面も同様に取り扱うことが可能となっている。
【０１１３】
この調整板６０は、図６に示したように、左右の両端部分が保持部５０における保持アーム５１及び５２の溝部５１Ｄ及び５２Ｄにそれぞれ差し込まれ、さらにワッシャ５４を挿通した固定ねじ５５がねじ孔５３に螺合されることにより、差込孔６１を保持方向である下方向へ向けて当該保持部５０により保持される。
【０１１４】
ここで調整板６０は、図８（Ａ）及び（Ｂ）に示すように、２通りの保持形態により保持部５０に保持されるようになされている。
【０１１５】
このとき調整板６０の差込孔列６２は、いずれの保持形態においても嵌合可能範囲である差込可能範囲５０Ａ内に位置している。
【０１１６】
図８（Ａ）は、調整板６０の第１端辺６０Ｅ１を前方に向けて前側板２２の保持基準点Ｑに当接させ、第２端辺６０Ｅ２を後方へ向けた保持形態となっている。以下、この保持形態を第１保持形態と呼ぶ。
【０１１７】
この第１保持形態において、保持基準点Ｑから各差込孔６１Ａ〜６１Ｅまでの距離は、それぞれ長さ２Ｙ、６Ｙ、…、及び１８Ｙとなる。
【０１１８】
図８（Ｂ）は、調整板６０の第２端辺６０Ｅ２を前方に向けて前側板２２の保持基準点Ｑに当接させ、第１端辺６０Ｅ１を後方へ向けた保持形態となっている。以下、この保持形態を第２保持形態と呼ぶ。
【０１１９】
この第２保持形態において、保持基準点Ｑから各差込孔６１Ｅ〜６１Ａまでの距離は、それぞれ長さ４Ｙ、８Ｙ、…、及び２０Ｙとなる。
【０１２０】
このように調整板６０は、差込孔列６２の差込孔６１Ａ〜６１Ｅを、Ｙ方向に沿って長さ４Ｙを周期とするよう位置させ、さらに第１端辺６０Ｅ１から差込孔６１Ａまでの距離と第２端辺６０Ｅ２から差込孔６１Ｅまでの距離とを長さ２Ｙだけ相違させた。
【０１２１】
これにより調整板６０は、第１保持形態又は第２保持形態で保持部５０に保持された際の保持基準点Ｑから各差込孔６１Ａ〜６１Ｅまでの各距離を、互いに同等の長さ４Ｙを周期とし、且つ半周期である長さ２Ｙずつ互いに相違させている。
【０１２２】
［１−３−３．差込部の構成］
被調整体としての差込部７０（図６）は、基部７１及び差込突起７２を中心に構成されている。基部７１は、前後方向に薄い直方体状に形成されると共に、前後方向に貫通する２個のねじ孔７３が穿設されている。
【０１２３】
被嵌合体としての差込突起７２は、前後に薄い直方体状に形成されており、基部７１の上面から上方へ突出するように立設されている。この差込突起７２は、図９に平面図を示すように、基部７１と前面を一致させるように、基部７１に対し前方にやや偏った位置に設けられている。
【０１２４】
また差込突起７２は、前後方向の長さが２Ｙとなっており、左右方向の長さがＸ２となっている。このため差込突起７２は、調整板６０の差込孔６１Ａ〜６１Ｅに差し込むことが可能となっている。
【０１２５】
一方、フロントガイド２６は、図６に示したように、上端近傍の前面側が一部切削されることにより取付部２６Ａが形成されている。取付部２６Ａには、後面の２箇所にねじ孔２６ＡＨが穿設されている。因みにフロントガイド２６には、図示しないものの、下端近傍にも上下対称の取付部２６Ａが形成されている。
【０１２６】
差込部７０は、２本の取付ねじ７４を２箇所のねじ孔７３にそれぞれ挿通させた上で、取付部２６Ａのねじ孔２６ＡＨにそれぞれ螺合させることにより、フロントガイド２６に取り付けられる。
【０１２７】
ここで図１０（Ａ）及び（Ｂ）に示すように、差込部７０は、フロントガイド２６に取り付けられると、基部７１及び差込突起７２の前面を当該フロントガイド２６の前面とほぼ一致させるようになされている。
【０１２８】
説明の都合上、以下ではフロントガイド２６、基部７１及び差込突起７２の前面を表す線を前面線Ｆと呼ぶ。
【０１２９】
このように差込部７０は、フロントガイド２６に取り付けられることにより、差込突起７２を当該フロントガイド２６と一体化するようになされている。
【０１３０】
［１−４．動作及び効果］
以上の構成において、第１の実施の形態による紙幣カセット１７における位置調整部２５は、フロントガイド２６の上側及び下側の双方において、フロントガイド２６に取り付けられた差込部７０の差込突起７２が、調整板６０の差込孔列６２におけるいずれかの差込孔６１に差し込まれる。
【０１３１】
保持部５０は、保持アーム５１及び５２における溝部５１Ｄ及び５２Ｄの間に調整板６０が差し込まれ、さらにワッシャ５４を挿通した固定ねじ５５がねじ孔５３に螺合されることにより、差込孔列６２を差込可能範囲５０Ａに位置させるように当該調整板６０を保持する。
【０１３２】
これにより位置調整部２５は、差込部７０が取り付けられたフロントガイド２６の位置を固定することができる。
【０１３３】
ここで位置調整部２５は、調整板６０の第１端辺６０Ｅ１を保持基準点Ｑに当接させた第１保持形態（図８（Ａ））である場合には、フロントガイド２６及び差込部７０の前面線Ｆを、当該保持基準点Ｑから長さ２Ｙ、６Ｙ、１０Ｙ、１４Ｙ又は１８Ｙといった長さ４Ｙを周期とする離散した箇所に位置させることができる。
【０１３４】
また位置調整部２５は、調整板６０の第２端辺６０Ｅ２を保持基準点Ｑに当接させた第２保持形態（図８（Ｂ））である場合には、フロントガイド２６及び差込部７０の前面線Ｆを、当該保持基準点Ｑから長さ４Ｙ、８Ｙ、１２Ｙ、１６Ｙ又は２０Ｙといった長さ４Ｙを周期とする離散した箇所に位置させることができる。
【０１３５】
ここで、保持基準点Ｑからフロントガイド２６及び差込部７０の前面線Ｆまでの距離、すなわち保持基準点Ｑを基準とした位置を第１保持形態及び第２保持形態の間で比較すると、例えば長さ２Ｙ及び４Ｙのように、両者の間の最小距離が長さ２Ｙとなっており、Ｙ方向に関する差込孔６１の周期である長さ４Ｙよりも短くなっている。
【０１３６】
このため位置調整部２５は、保持部５０に対する調整板６０の方向を互いに相違させた第１保持形態及び第２保持形態を組み合わせることにより、フロントガイド２６及び差込部７０の前面線Ｆを、２Ｙ、４Ｙ、６Ｙ、…、１８Ｙ又は２０Ｙといった長さ２Ｙごとの離散した箇所に位置させることができる。
【０１３７】
他の観点から見れば、調整板６０は、上述したように加工方法等の制約により、Ｙ方向に関する差込孔６１の周期がどうしても長さ４Ｙ以上となってしまう。
【０１３８】
このため位置調整部２５では、単純に調整板６０の差込孔列６２に対する差込突起７２の差込位置を調整するだけでは、フロントガイド２６及び差込部７０の前面線Ｆの位置を長さ４Ｙの間隔ごとにしか調整できない。
【０１３９】
そこで位置調整部２５では、第１端辺６０Ｅ１から差込孔６１Ａまでの距離と第２端辺６０Ｅ２から差込孔６１Ｅまでの距離とを長さ２Ｙだけ相違させ、保持部５０による調整板６０の保持形態を２通りに切り換え得るようにした。
【０１４０】
このため位置調整部２５では、第１保持形態及び第２保持形態を適宜切り換えることにより、フロントガイド２６及び差込部７０の前面線Ｆの位置を、差込孔列６２における各差込孔６１の周期である長さ４Ｙよりも短い長さ２Ｙごとに調整することができる。
【０１４１】
このとき位置調整部２５では、具体的な調整作業として、保持部５０の固定ねじ５５を取り外し溝部５１Ｄ及び５２Ｄから調整板６０を抜き出させ、必要に応じて調整板６０の前後方向を入れ替えさせて、差込孔列６２に対する差込突起７２の差込位置を変更させて再び固定ねじ５５を取り付けさせるだけで、フロントガイド２６を２Ｙ単位で所望の位置に合わせることができる。
【０１４２】
この結果、紙幣カセット１７では、図３４（Ａ）及び（Ｂ）とそれぞれ対応する図１１（Ａ）及び（Ｂ）に示すように、位置調整部２５の部品を他の部品と何ら交換することなく、フロントガイド２６の前後方向に関する位置を調整することができる。
【０１４３】
このため位置調整部２５については、従来のような長さの異なる複数種類のカラ９５１及び取付ねじ９５２のように、交換用の他の部品を用意する必要が無い。
【０１４４】
これにより現金自動預払機１では、例えば運用開始後に紙幣カセット１７に収納すべき紙幣ＢＬの種類が変更となり短手長さＬ２が変更されたとしても、別途部品を手配する必要無く、直ちにフロントガイド２６を所望の位置に移動させ、ガイド間隔Ｌ１を変更することができる。
【０１４５】
また調整板６０は、差込孔列６２における各差込孔６１同士のＹ方向に関する間隔を２Ｙずつとすることにより、十分な強度を保持するようにした（図７）。
【０１４６】
これにより調整板６０は、フロントガイド２６に取り付けられた差込部７０の差込突起７２が差込孔６１に差し込まれた状態で、紙幣カセット１７の運搬等に伴う外部からの衝撃が加わったとしても、差込孔６１が破損されることなく、差込突起７２及びフロントガイド２６の位置を維持することができる。
【０１４７】
特に調整板６０は、各差込孔６１の形状を、ＸＹ平面上において長方形となるような、Ｘ方向及びＹ方向に対称な角孔とした（図６、図７）。また差込部７０は、差込突起７２の形状を、当該差込孔６１に差し込み得る大きさの直方体状とした（図６、図９）。
【０１４８】
このため位置調整部２５では、調整板６０における第１端辺６０Ｅ１又は第２端辺６０Ｅ２のいずれを前方へ向けた場合であっても、すなわち第１保持形態及び第２保持形態のいずれであっても、差込孔６１の形状を変化させることなく、差込部７０の差込突起７２を差し込むことができる。
【０１４９】
これと共に調整板６０は、Ｘ方向の中央に、Ｙ方向に沿って各差込孔６１を配置することにより差込孔列６２を形成した。
【０１５０】
このため位置調整部２５では、保持部５０により保持される調整板６０における第１端辺６０Ｅ１又は第２端辺６０Ｅ２のいずれを前方へ向けた場合であっても、差込孔列６２を保持アーム５１及び５２のほぼ中間にある差込可能範囲５０Ａに位置させることができる。
【０１５１】
すなわち位置調整部２５では、第１保持形態及び第２保持形態の双方で差込孔列６２の各差込孔６１を共用することができるので、調整板６０に差込孔列６２を２列以上穿設する必要が無く、加工に要する手間や時間、すなわち製造コストを最小限に抑えることができる。
【０１５２】
さらに位置調整部２５は、第１保持形態及び第２保持形態のいずれにおいても差込孔列６２を差込可能範囲５０Ａに位置させることができるので、紙幣カセット１７の他の部品に対するフロントガイド２６の左右方向及び上下方向の位置を変化させることなく、前後方向の位置のみを２Ｙずつ調整することができる。
【０１５３】
これに伴い、フロントガイド２６に取り付けられたビルストッパ２７は、やはりその位置が前後方向へのみ変化するため、ゲートＧ（図３）に対する左右方向及び上下方向の位置を維持することができるので、放出された紙幣ＢＬが衝突された際に、最適な位置においてその衝撃を吸収することができる。
【０１５４】
さらに位置調整部２５は、差込部７０における差込突起７２の上下方向の長さを調整板６０の厚さよりも十分に長く構成し（図６）、当該差込突起７２が差込孔６１に差し込まれた際に、調整板６０を貫通できるようにした（図３）。
【０１５５】
このため位置調整部２５は、仮に前側板２２に対する保持部５０の位置精度が低く、当該保持部５０に保持された調整板６０の差込孔６１に差込突起７２が差し込まれた状態で、差込部７０が取り付けられたフロントガイド２６が紙幣カセット１７に対し上下に多少のがたつきを有していたとしても、差込突起７２が差込孔６１から抜けてしまうことを防止でき、フロントガイド２６の前後方向の位置を維持することができる。
【０１５６】
さらに調整板６０は、第１端辺６０Ｅ１及び第２端辺６０Ｅ２の近傍にそれぞれ刻印６０Ｌ２及び６０Ｌ１が刻まれている（図６、図７、図８）。
【０１５７】
このため位置調整部２５は、保守作業員等に保持部５０による調整板６０の保持形態を切り換えさせる際に、刻印６０Ｌ２及び６０Ｌ１を目印として視認させながら、フロントガイド２６を調整したい位置に応じた正しい方向となるように、調整板６０を保持部５０の溝部５１Ｄ及び５２Ｄに差し込ませることができる。
【０１５８】
以上の構成によれば、第１の実施の形態による位置調整部２５は、調整板６０における差込孔列６２の差込孔６１Ａ〜６１Ｅを、Ｙ方向に沿って長さ４Ｙを周期とするよう配置し、さらに第１端辺６０Ｅ１から差込孔６１Ａまでの距離と第２端辺６０Ｅ２から差込孔６１Ｅまでの距離とを長さ２Ｙだけ相違させた。また保持部５０は、調整板６０の方向を互いに反対向きとして第１端辺６０Ｅ１又は第２端辺６０Ｅ２を保持基準点Ｑにそれぞれ当接させた第１保持形態及び第２保持形態により、当該調整板６０を２通りの保持形態で保持するようにした。そして位置調整部２５は、第１保持形態及び第２保持形態を適宜切り換えることにより、フロントガイド２６に取り付けられた差込部７０の差込突起７２を差込孔列６２におけるいずれかの差込孔６１に差し込んだ際の前面線Ｆの位置を、長さ２Ｙ単位で調整することができる。
【０１５９】
［２．第２の実施の形態］
第２の実施の形態では、第１の実施の形態における位置調整部２５に代えて、位置調整部１２５によりフロントガイド２６の位置が調整されるようになされている。
【０１６０】
［２−１．位置調整部の構成］
位置調整部１２５は、図６と対応する図１２に示すように、保持部５０、調整板６０及び差込部７０とそれぞれ対応する保持部１５０、調整板１６０及び差込部１７０により構成されている。
【０１６１】
［２−１−１．保持部の構成］
保持部１５０は、図１３（Ａ）に平面図を示すように、第１の実施の形態による保持部５０と比較して、保持アーム５１及び５２に代わる保持アーム１５１及び１５２を有しており、またねじ孔５３、ワッシャ５４及び固定ねじ５５が省略されている。
【０１６２】
保持アーム１５１は、可撓性を有する材料により構成されており、保持アーム５１と比較して、溝部５１Ｄと同様の溝部１５１Ｄを有する他、後端に保持爪１５１Ｃが設けられている。
【０１６３】
保持爪１５１Ｃは、保持アーム１５１の後端部分が保持アーム５１（図６）よりも僅かに後方へ延長された上で右方向へ鉤状に折り曲げられたような形状となっており、溝部１５１Ｄの後端を塞いでいる。
【０１６４】
また保持爪１５１Ｃは、右方向へ突出した部分の前面が前側板２２の後面とほぼ平行な平面状に形成される一方、その後側部分が右斜め後ろ方向を向く傾斜面となっている。
【０１６５】
保持アーム１５２は、保持アーム１５１と左右対称に構成されており、溝部５２Ｄと同様の溝部１５２Ｄを有する他、後端部分に左方向へ鉤状に折り曲げられたような形状の保持爪１５２Ｃが設けられている。
【０１６６】
また第２の実施の形態では、説明の都合上、保持基準点Ｑの後方であって、溝部１５１Ｄ及び１５２Ｄにより挟まれた空間のうち、中央よりも左側及び右側の前後に長い範囲を、それぞれ第１差込可能範囲１５０Ａ及び１５０Ｂと呼ぶ。
【０１６７】
また保持アーム１５１及び１５２は、それぞれ可撓性を有するため、それぞれの後端近傍に対し一時的に左右の外方へ、すなわち互いに離れる方向へ向かう外力が加えられると、保持爪１５１Ｃ及び１５２Ｃの間隔を広げるようにそれぞれ撓む。
【０１６８】
その後保持アーム１５１及び１５２は、加えられていた外力が解放されると、元の形状に戻ることにより、保持爪１５１Ｃ及び１５２Ｃの間隔を溝部１５１Ｄ及び１５２Ｄの間隔よりも狭めた状態となる。
【０１６９】
［２−１−２．調整板の構成］
調整板１６０（図１２）は、全体として調整板６０（図６）と同様に、所定の金属材料で構成されており、上下に薄い扁平な直方体状に形成されているものの、差込孔６１に代わる差込孔１６１が複数穿設されている。
【０１７０】
この調整板１６０は、図７と対応する図１４（Ａ）に示すように、６個の差込孔１６１Ａ、１６１Ｂ、１６１Ｃ、１６１Ｄ、１６１Ｅ及び１６１ＦがＹ方向に沿って並んだ第１差込孔列１６２Ａと、５個の差込孔１６１Ｇ、１６１Ｈ、１６１Ｊ、１６１Ｋ及び１６１ＬがＹ方向に沿って並んだ第２差込孔列１６２Ｂとが設けられている。
【０１７１】
また説明の都合上、以下では、調整板１６０の板面のうち図１２において上方向を向き図１４（Ａ）において手前側となる面を第１面１６０Ｓ１と呼び、その反対となる面を第２面１６０Ｓ２と呼ぶ。
【０１７２】
差込孔１６１Ａは、図１４（Ｂ）に拡大して示すように、第１の実施の形態における差込孔６１Ａ（図７）とは異なる形状となっており、角孔状の３個の孔部１６１Ａ１、１６１Ａ２及び１６１Ａ３をＸ方向に沿って蛇行するように互いに連接させ、クランク状となっている。
【０１７３】
孔部１６１Ａ１は、Ｘ方向の長さがＸ４、Ｙ方向の長さが２Ｙの角孔となっている。孔部１６１Ａ２は、Ｘ方向の長さがＸ５、Ｙ方向の長さが２Ｙの角孔となっており、孔部１６１Ａ１とＸ方向に連接し、且つ当該孔部１６１Ａ１に対しＹ方向に距離Ｙだけずれた位置に穿設されている。
【０１７４】
孔部１６１Ａ３は、Ｘ方向の長さがＸ６、Ｙ方向の長さが２Ｙの角孔となっており、孔部１６１Ａ２に対して、Ｘ方向に関し孔部１６１Ａ１と反対側に連接し、且つＹ方向に関し孔部１６１Ａ１へ近接する方向へ距離Ｙだけずれた位置に、穿設されている。因みに長さＸ６は、長さＸ４とほぼ同等となっている。
【０１７５】
換言すれば、差込孔１６１Ａは、Ｙ方向の孔幅が長さ２Ｙに揃えられているものの、Ｘ方向の中央である長さＸ５の部分のみ、両隣の長さＸ４の部分及びＸ６の部分よりもＹ方向へ長さＹだけ位置をシフトさせたように形成されている。
【０１７６】
説明の都合上、以下では、孔部１６１Ａ２における中心となる点を差込孔中心点Ｐと呼ぶ。また、図１４（Ｃ）に示すように、孔部１６１Ａ１、１６１Ａ２及び１６１Ａ３をそれぞれＹ方向に長さＹごとに分割したときの各領域を、それぞれ領域Ｒ１、Ｒ２、Ｒ３、Ｒ４、Ｒ５及びＲ６と呼ぶ。
【０１７７】
因みに差込孔１６１Ａにおいては、領域Ｒ１から見た場合、領域Ｒ５及びＲ６がＹ方向に距離Ｙだけ離れていることになる。
【０１７８】
図１４（Ａ）に示したように、差込孔１６１Ａは、調整板１６０におけるＸ方向の一端辺（図における左辺）から長さＸ３だけ離れ、且つＹ方向の一端辺である第１端辺１６０Ｅ１（図における下辺）から長さ２Ｙだけ離れた箇所に配置されている。
【０１７９】
差込孔１６１Ｂは、長さＸ４、Ｘ５及びＸ６の各部分において差込孔１６１Ａとの間にＹ方向へそれぞれ長さ２Ｙずつ離れた箇所に、当該差込孔１６１Ａと同様の形状に穿設されている。
【０１８０】
このため差込孔１６１Ｂは、差込孔１６１Ａからちょうど長さ２Ｙだけ離れており、また第１端辺１６０Ｅ１からの距離が長さ６Ｙとなる。
【０１８１】
ここで差込孔１６１Ａの領域Ｒ１（図１４（Ｃ））から見た場合、差込孔１６１Ｂの領域Ｒ５及びＲ６は、Ｙ方向に関し差込孔１６１Ａの領域Ｒ５及びＲ６と反対側に、距離Ｙだけ離れていることになる。
【０１８２】
差込孔１６１Ｃ、１６１Ｄ、１６１Ｅ及び１６１Ｆは、差込孔１６１Ｂと同様に、いずれも差込孔１６１Ａと同様の形状に穿設されており、互いの間隔をＹ方向にちょうど長さ２Ｙずつとするよう、Ｙ方向に沿った一直線上に順次配列されている。また差込孔１６１Ｆと第２端辺１６０Ｅ２との間隔は、長さＹとなっている。
【０１８３】
ここで差込孔１６１Ａ〜１６１Ｆそれぞれの領域Ｒ１（図１４（Ｃ））に着目すると、第１端辺１６０Ｅ１からの距離（間隔）は、それぞれ長さ４Ｙ、８Ｙ、１２Ｙ、１６Ｙ、２０Ｙ及び２４Ｙとなっており、これを数式を用いて表すと、４Ｙ＋ｎ×４Ｙ（ただしｎは０から５までの整数）となる。
【０１８４】
また、第２端辺１６０Ｅ２から差込孔１６１Ｆ〜１６１Ａそれぞれの領域Ｒ１までの距離（間隔）は、それぞれ長さＹ、５Ｙ、９Ｙ、１３Ｙ、１７Ｙ及び２１Ｙとなっており、これを数式を用いて表すと、Ｙ＋ｎ×４Ｙ（ただしｎは０から５までの整数）となる。
【０１８５】
このように第１差込孔列１６２Ａの差込孔１６１Ａ〜１６１Ｆは、Ｙ方向に沿って長さ４Ｙを周期として等間隔に配列されている。
【０１８６】
一方、第２差込孔列１６２Ｂの差込孔１６１Ｇは、調整板１６０におけるＸ方向の他端辺（図における右辺）から長さＸ３だけ離れ、且つ第１端辺１６０Ｅ１から長さ３Ｙだけ離れた箇所に配置されており、差込孔１６１ＡをＸＹ平面上で半回転させた形状となっている。
【０１８７】
因みに差込孔１６１Ｇは、Ｘ方向に関し差込孔１６１Ａから長さＸ７だけ離れるよう配置されている。
【０１８８】
ここで差込孔１６１Ａ及び１６１Ｇに着目すると、いずれも第１端辺１６０Ｅ１から差込孔中心点Ｐまでの距離が長さ４Ｙとなっている。
【０１８９】
このため調整板１６０では、第１端辺１６０Ｅ１から見て、差込孔１６１Ｇの領域Ｒ１並びに差込孔１６１Ａの領域Ｒ２、Ｒ３及びＲ４が、いずれも長さ３Ｙだけ離れている。また調整板１６０では、第１端辺１６０Ｅ１から見て、差込孔１６１Ｇの領域Ｒ２、Ｒ３及びＲ４並びに差込孔１６１Ａの領域Ｒ１が、いずれも長さ４Ｙだけ離れている。
【０１９０】
差込孔１６１Ｈ〜１６１Ｌは、いずれも差込孔１６１Ｇと同様の形状に穿設され、且つ互いの間隔をＹ方向にちょうど長さ２Ｙずつとするよう、Ｙ方向に沿った一直線上に順次配列されている。また差込孔１６１Ｌと第２端辺１６０Ｅ２との間隔は、長さ４Ｙとなっている。
【０１９１】
ここで差込孔１６１Ｇ〜１６１Ｌそれぞれの領域Ｒ１（図１４（Ｃ））に着目すると、第１端辺１６０Ｅ１からの距離（間隔）は、それぞれ３Ｙ、７Ｙ、１１Ｙ、１５Ｙ及び１９Ｙとなっており、これを数式を用いて表すと、３Ｙ＋ｎ×４Ｙ（ただしｎは０から４までの整数）となる。
【０１９２】
また、第２端辺１６０Ｅ２から差込孔１６１Ｌ〜１６１Ｇそれぞれの領域Ｒ１までの距離（間隔）は、それぞれ６Ｙ、１０Ｙ、１４Ｙ、１８Ｙ及び２２Ｙとなっており、これを数式を用いて表すと、６Ｙ＋ｎ×４Ｙ（ただしｎは０から４までの整数）となる。
【０１９３】
このように第２差込孔列１６２Ｂの差込孔１６１Ｇ〜１６１Ｌは、Ｙ方向に沿って４Ｙ周期で等間隔に配列されている。
【０１９４】
ここで差込孔１６１Ａ及び１６１Ｌに着目すると、第１端辺１６０Ｅ１から差込孔１６１Ａまでの距離である長さ２Ｙと、第２端辺１６０Ｅ２から差込孔１６１Ｌまでの距離である長さ４Ｙとが、半周期である長さ２Ｙだけ相違している。
【０１９５】
また差込孔１６１Ｇ及び１６１Ｆに着目すると、第１端辺１６０Ｅ１から差込孔１６１Ｇまでの距離である長さ３Ｙと、第２端辺１６０Ｅ２から差込孔１６１Ｆまでの距離である長さＹとが、半周期である長さ２Ｙだけ相違している。
【０１９６】
このように調整板１６０は、第１差込孔列１６２Ａにおいて６個の差込孔１６１Ａ〜１６１ＦがＹ方向に沿って長さ４Ｙを周期として配置されると共に、第２差込孔列１６２Ｂにおいて５個の差込孔１６１Ｇ〜１６１ＬがＹ方向に沿って長さ４Ｙを周期として配置されている。
【０１９７】
また調整板１６０は、第１差込孔列１６２Ａ及び第２差込孔列１６２Ｂの間で、各差込孔１６１を互いにＸＹ平面上で半回転された向きに形成すると共に、第１端辺１６０Ｅ１及び第２端辺１６０Ｅ２から各差込孔１６１までの間隔を長さ２Ｙずつ相違させている。
【０１９８】
さらに調整板１６０の第１面１６０Ｓ１には、第２端辺１６０Ｅ２の近傍に数字の「１」及びこれを囲む円でなる刻印１６０Ｌ１が刻まれると共に、第１端辺１６０Ｅ１の近傍に数字の「３」及びこれを囲む円でなる刻印１６０Ｌ３が刻まれている。
【０１９９】
因みに調整板１６０の第２面１６０Ｓ２には、後述するように、第２端辺１６０Ｅ２の近傍に数字の「２」及びこれを囲む円でなる刻印１６０Ｌ２が刻まれると共に、第１端辺１６０Ｅ１の近傍に数字の「４」及びこれを囲む円でなる刻印１６０Ｌ４が刻まれている。
【０２００】
ところで保持部１５０（図１３（Ａ））は、保持アーム１５１及び１５２に対し、上述したように保持爪１５１Ｃ及び１５２Ｃを互いに左右方向へ引き離すように外力が加えられると、一時的に撓むことにより、溝部１５１Ｄ及び１５２Ｄに対する調整板１６０の抜き差しが可能となる。
【０２０１】
保持部１５０は、保持爪１５１Ｃ及び１５２Ｃを互いに左右方向へ引き離す外力が加えられ保持アーム１５１及び１５２が撓んだ状態で調整板１６０が差し込まれ、外力が解放されると、保持アーム１５１及び１５２を元の形状に戻すことにより、図１３（Ｂ）に示すように当該調整板１６０を保持する。
【０２０２】
ここで調整板６０は、図１５（Ａ）、（Ｂ）、（Ｃ）及び（Ｄ）に示すように、４通りの保持形態により保持部１５０に保持されるようになされている。
【０２０３】
図１５（Ａ）は、調整板１６０の第１面１６０Ｓ１を上方（図の手前側）へ向けると共に第１端辺１６０Ｅ１を前方に向けて前側板２２の保持基準点Ｑに当接させ、刻印１６０Ｌ１が近傍に刻まれた第２端辺１６０Ｅ２を後方へ向けた保持形態となっている。このとき、第１差込可能範囲１５０Ａ内には第１差込孔列１６２Ａが位置しており、また第２差込可能範囲１５０Ｂ内には第２差込孔列１６２Ｂが位置している。以下、この保持形態をこの実施の形態における第１保持形態と呼ぶ。
【０２０４】
この第１保持形態において、保持基準点Ｑから第２差込可能範囲１５０Ｂ内にある差込孔１６１Ｇ〜１６１Ｌそれぞれにおける領域Ｒ１（図１４（Ｃ））までの距離は、それぞれ長さ３Ｙ、７Ｙ、…、及び１９Ｙとなる。
【０２０５】
図１５（Ｂ）は、調整板１６０の第１面１６０Ｓ１を上方へ向けると共に第２端辺１６０Ｅ２を前方に向けて前側板２２の保持基準点Ｑに当接させ、刻印１６０Ｌ３が近傍に刻まれた第１端辺１６０Ｅ１を後方へ向けた保持形態となっている。このとき、第１差込可能範囲１５０Ａ内には第２差込孔列１６２Ｂが位置しており、また第２差込可能範囲１５０Ｂ内には第１差込孔列１６２Ａが位置している。以下、この保持形態をこの実施の形態における第２保持形態と呼ぶ。
【０２０６】
因みにこの第２保持形態における調整板１６０は、第１保持形態（図１５（Ａ））と比較して、水平方向に半回転された状態となっている。
【０２０７】
この第２保持形態において、保持基準点Ｑから第２差込可能範囲１５０Ｂ内にある差込孔１６１Ｂ〜１６１Ｆそれぞれにおける領域Ｒ１（図１４（Ｃ））までの距離は、それぞれ長さ５Ｙ、９Ｙ、…、及び２１Ｙとなる。
【０２０８】
図１５（Ｃ）は、調整板１６０の第２面１６０Ｓ２を上方へ向けると共に第１端辺１６０Ｅ１を前方に向けて前側板２２の保持基準点Ｑに当接させ、刻印１６０Ｌ２が近傍に刻まれた第２端辺１６０Ｅ２を後方へ向けた保持形態となっている。このとき、第１差込可能範囲１５０Ａ内には第２差込孔列１６２Ｂが位置しており、また第２差込可能範囲１５０Ｂ内には第１差込孔列１６２Ａが位置している。以下、この保持形態をこの実施の形態における第３保持形態と呼ぶ。
【０２０９】
因みにこの第３保持形態における調整板１６０は、第１保持形態（図１５（Ａ））と比較して、前後方向に沿った回転軸を中心に半回転された状態となっている。
【０２１０】
この第３保持形態において、保持基準点Ｑから第２差込可能範囲１５０Ｂ内にある差込孔１６１Ｂ〜１６１Ｆそれぞれにおける領域Ｒ１（図１４（Ｃ））までの距離は、それぞれ長さ４Ｙ、８Ｙ、…、及び２０Ｙとなる。
【０２１１】
図１５（Ｄ）は、調整板１６０の第２面１６０Ｓ２を上方へ向けると共に第２端辺１６０Ｅ２を前方に向けて前側板２２の保持基準点Ｑに当接させ、刻印１６０Ｌ４が近傍に刻まれた第１端辺１６０Ｅ１を後方へ向けた保持形態となっている。このとき、第１差込可能範囲１５０Ａ内には第１差込孔列１６２Ａが位置しており、また第２差込可能範囲１５０Ｂ内には第２差込孔列１６２Ｂが位置している。以下、この保持形態をこの実施の形態における第４保持形態と呼ぶ。
【０２１２】
因みにこの第４保持形態における調整板１６０は、第１保持形態（図１５（Ａ））と比較して、左右方向に沿った回転軸を中心に半回転された状態となっている。
【０２１３】
この第４保持形態において、保持基準点Ｑから第２差込可能範囲１５０Ｂ内にある差込孔１６１Ｇ〜１６１Ｋそれぞれにおける領域Ｒ１（図１４（Ｃ））までの距離は、それぞれ長さ６Ｙ、１０Ｙ、１４Ｙ及び１８Ｙとなる。
【０２１４】
このように調整板１６０は、第１差込孔列１６２Ａにおいて６個の差込孔１６１Ａ〜１６１ＦをＹ方向に沿って長さ４Ｙを周期とするよう配置すると共に、第２差込孔列１６２Ｂにおいて５個の差込孔１６１Ｇ〜１６１ＬをＹ方向に沿って長さ４Ｙを周期とするよう配置した。
【０２１５】
また調整板１６０は、第１差込孔列１６２Ａ及び１６２Ｂの間で、各差込孔１６１を互いに反対方向に向けると共に、第１端辺１６０Ｅ１及び第２端辺１６０Ｅ２から各差込孔１６１までの距離を２Ｙずつ相違させた。
【０２１６】
これにより調整板１６０は、第１保持形態、第２保持形態、第３保持形態又は第４保持形態で保持部１５０に保持された際の、保持基準点Ｑから第２差込可能範囲１５０Ｂ内にある各差込孔１６１の領域Ｒ１までの各距離を、互いに同等の長さ４Ｙを周期とし、且つ保持形態ごとに長さＹずつ相違させている。
【０２１７】
［２−１−３．差込部の構成］
差込部１７０（図１２）は、基部１７１及び差込突起１７２を中心に構成されている。基部１７１は、第１の実施の形態における基部７１よりも前後方向に薄い直方体状に形成されると共に、前後方向に貫通する２個のねじ孔１７３が穿設されている。因みに基部１７１における前後方向の厚さは、長さＹとなっている。
【０２１８】
差込突起１７２は、図１６に示すように、４本の差込突起１７２Ａ、１７２Ｂ、１７２Ｃ及び１７２Ｄにより構成されている。
【０２１９】
差込突起１７２Ａは、基部１７１の上面における左寄りの部分から上方へ突出するように立設されており、前後に薄く上下に長い直方体状に形成されている。
【０２２０】
この差込突起１７２Ａは、図１７に平面図を示すように、左右方向の長さが長さＸ４、Ｘ５及びＸ６の和に相当し、前後方向の長さが長さＹとなっている。
【０２２１】
差込突起１７２Ｂは、基部１７１の上面における左右の中央よりも右寄りの部分から上方へ突出するように立設されており、前後に薄く上下に細長い形状であるものの、基部１７１の上面から僅かに上方へ伸び、一度後方へ向かうよう曲げられ、さらに再び上方へ向かうよう曲げられている。
【０２２２】
この差込突起１７２Ｂは、図１７に示したように、左右方向の長さが長さＸ６であり、前後方向の長さが長さＹとなっている。また差込突起１７２Ｂは、差込突起１７２Ａから見て、右方向へ長さＸ７を隔てると共に後方向へ長さＹを隔てるように位置している。
【０２２３】
差込突起１７２Ｃは、基部１７１の上面における差込突起１７２Ｂの右側に隣接して上方へ突出するように立設されており、前後に薄く上下に細長い直方体状に形成されている。
【０２２４】
この差込突起１７２Ｃは、図１７に示したように、左右方向の長さが長さＸ５であり、前後方向の長さが長さＹとなっている。また差込突起１７２Ｃは、差込突起１７２Ｂから見て、前方向へ長さＹを隔てるように位置しており、前後方向の位置が差込突起１７２Ａと同等に揃えられている。
【０２２５】
差込突起１７２Ｄは、基部１７１の上面における差込突起１７２Ｂの右側に隣接して上方へ突出するように立設されており、前後に薄く上下に細長い形状であるものの、差込突起１７２Ｂと同様、基部１７１の上面から僅かに上方へ伸び、一度後方へ向かうよう曲げられ、さらに再び上方へ向かうよう曲げられている。
【０２２６】
この差込突起１７２Ｄは、図１７に示したように、左右方向の長さが長さＸ４であり、前後方向の長さが長さＹとなっている。また差込突起１７２Ｄは、差込突起１７２Ｃから見て、後方向へ長さＹを隔てるように位置しており、前後方向の位置が差込突起１７２Ｂと同等に揃えられている。
【０２２７】
差込部１７０は、図１６に示したように、第１の実施の形態における差込部７０と同様、２本の取付ねじ７４を２箇所のねじ孔１７３にそれぞれ挿通させた上で、取付部２６Ａのねじ孔２６ＡＨにそれぞれ螺合させることにより、フロントガイド２６に取り付けられる。
【０２２８】
このとき差込部１７０は、フロントガイド２６に取り付けられると、基部１７１及び差込突起１７２Ａ及び１７２Ｃの前面を当該フロントガイド２６の前面とほぼ一致させる。
【０２２９】
説明の都合上、以下ではフロントガイド２６、基部１７１並びに差込突起１７２Ａ及び１７２Ｃの前面を表す線をこの実施の形態における前面線Ｆと呼ぶ（図１７）。
【０２３０】
このように差込部１７０は、第１の実施の形態と同様、フロントガイド２６に取り付けられることにより、４本の差込突起１７２Ａ〜１７２Ｄを当該フロントガイド２６と一体化するようになされている。
【０２３１】
［２−２．動作及び効果］
以上の構成において、第２の実施の形態による位置調整部１２５は、フロントガイド２６の上側及び下側の双方において、フロントガイド２６に取り付けられた差込部１７０の差込突起１７２Ａ〜１７２Ｄが、調整板１６０の第１差込孔列１６２Ａ及び１６２Ｂにおけるいずれかの差込孔１６１に差し込まれる。
【０２３２】
保持部１５０は、保持アーム１５１及び１５２の保持爪１５１Ｃ及び１５２Ｃを左右方向へ広げる外力が一時的に加えられた状態で、溝部１５１Ｄ及び１５２Ｄの間に調整板１６０が差し込まれ、外力が解放される。
【０２３３】
これにより保持部１５０は、第１差込孔列１６２Ａ及び第２差込孔列１６２Ｂをそれぞれ第１差込可能範囲１５０Ａ及び第２差込可能範囲１５０Ｂのいずれかに位置させるように、当該調整板１６０を保持する。かくして位置調整部１２５は、差込部１７０が取り付けられたフロントガイド２６の位置を固定することができる。
【０２３４】
このとき差込部１７０の差込突起１７２Ａ（図１２）は、保持部１５０の第１差込可能範囲１５０Ａ内に位置しており、また差込突起１７２Ｂ、１７２Ｃ及び１７２Ｄは、保持部１５０の第２差込可能範囲１５０Ｂ内に位置することになる。
【０２３５】
ここで、位置調整部１２５が第１保持形態（図１５（Ａ））である場合、すなわち調整板１６０の第１面１６０Ｓ１を上方へ向けると共に第１端辺１６０Ｅ１を保持基準点Ｑに当接させた場合を想定する。
【０２３６】
図１５（Ａ）に示したように、例えば差込突起１７２Ａが差込孔１６１Ｂの領域Ｒ２、Ｒ３及びＲ４（図１４（Ｃ））に位置するとき、差込突起１７２Ｂ、１７２Ｃ及び１７２Ｄは、差込孔１６１Ｈの領域Ｒ６、Ｒ１及びＲ５にそれぞれ位置する。このときフロントガイド２６及び差込部１７０の前面線Ｆは、保持基準点Ｑからの距離が長さ７Ｙとなる。
【０２３７】
また第１保持形態において、差込突起１７２Ａは、第１差込可能範囲１５０Ａ内に位置する第１差込孔列１６２Ａのいずれかの差込孔１６１Ａ〜１６１Ｅに差し込まれる。これに応じて差込突起１７２Ｂ、１７２Ｃ及び１７２Ｄは、第２差込可能範囲１５０Ｂ内に位置する第２差込孔列１６２Ｂのいずれかの差込孔１６１Ｇ〜１６１Ｌに差し込まれる。
【０２３８】
これによりフロントガイド２６及び差込部１７０の前面線Ｆは、長さ３Ｙ、７Ｙ、１１Ｙ、１５Ｙ又は１９Ｙといった長さ４Ｙを周期とする離散した箇所に位置することができる。
【０２３９】
次に、位置調整部１２５が第２保持形態（図１５（Ｂ））である場合、すなわち調整板１６０の第１面１６０Ｓ１を上方へ向けると共に第２端辺１６０Ｅ２を保持基準点Ｑに当接させた場合を想定する。
【０２４０】
図１５（Ｂ）に示したように、例えば差込突起１７２Ａが差込孔１６１Ｌの領域Ｒ２、Ｒ３及びＲ４（図１４（Ｃ））に位置するとき、差込突起１７２Ｂ、１７２Ｃ及び１７２Ｄは、差込孔１６１Ｅの領域Ｒ６、Ｒ１及びＲ５にそれぞれ位置する。このときフロントガイド２６及び差込部１７０の前面線Ｆは、保持基準点Ｑからの距離が長さ７Ｙとなる。
【０２４１】
また第２保持形態において、差込突起１７２Ａは、第１差込可能範囲１５０Ａ内に位置する第２差込孔列１６２Ｂのいずれかの差込孔１６１Ｌ〜１６１Ｇに差し込まれる。これに応じて差込突起１７２Ｂ、１７２Ｃ及び１７２Ｄは、第２差込可能範囲１５０Ｂ内に位置する第１差込孔列１６２Ａのいずれかの差込孔１６１Ｅ〜１６１Ａに差し込まれる。
【０２４２】
これによりフロントガイド２６及び差込部１７０の前面線Ｆは、長さ５Ｙ、９Ｙ、１３Ｙ、１７Ｙ又は２１Ｙといった長さ４Ｙを周期とする離散した箇所に位置することができる。
【０２４３】
さらに、位置調整部１２５が第３保持形態（図１５（Ｃ））である場合、すなわち調整板１６０の第２面１６０Ｓ２を上方へ向けると共に第１端辺１６０Ｅ１を保持基準点Ｑに当接させた場合を想定する。
【０２４４】
図１５（Ｃ）に示したように、例えば差込突起１７２Ａが差込孔１６１Ｈの領域Ｒ２、Ｒ３及びＲ４（図１４（Ｃ））に位置するとき、差込突起１７２Ｃは差込孔１６１Ｂの領域Ｒ１に位置し、差込突起１７２Ｂ及び１７２Ｄは差込孔１６１Ｃの領域Ｒ５及びＲ６にそれぞれ位置する。このときフロントガイド２６及び差込部１７０の前面線Ｆは、保持基準点Ｑからの距離が長さ８Ｙとなる。
【０２４５】
また第３保持形態において、差込突起１７２Ａは、第１差込可能範囲１５０Ａ内に位置する第２差込孔列１６２Ｂのいずれかの差込孔１６１Ｇ〜１６１Ｌに差し込まれる。これに応じて差込突起１７２Ｂ、１７２Ｃ及び１７２Ｄは、第２差込可能範囲１５０Ｂ内に位置する第１差込孔列１６２Ａのいずれかの差込孔１６１Ａ〜１６１Ｆに差し込まれる。
【０２４６】
これによりフロントガイド２６及び差込部１７０の前面線Ｆは、長さ４Ｙ、８Ｙ、１２Ｙ、１６Ｙ又は２０Ｙといった長さ４Ｙを周期とする離散した箇所に位置することができる。
【０２４７】
さらに、位置調整部１２５が第４保持形態（図１５（Ｄ））である場合、すなわち調整板１６０の第２面１６０Ｓ２を上方へ向けると共に第２端辺１６０Ｅ２を保持基準点Ｑに当接させた場合を想定する。
【０２４８】
図１５（Ｄ）に示したように、例えば差込突起１７２Ａが差込孔１６１Ｅの領域Ｒ２、Ｒ３及びＲ４（図１４（Ｃ））に位置するとき、差込突起１７２Ｃは差込孔１６１Ｌの領域Ｒ１に位置し、差込突起１７２Ｂ及び１７２Ｄは差込孔１６１Ｋの領域Ｒ５及びＲ６にそれぞれ位置する。このときフロントガイド２６及び差込部１７０の前面線Ｆは、保持基準点Ｑからの距離が長さ６Ｙとなる。
【０２４９】
また第４保持形態において、差込突起１７２Ａは、第１差込可能範囲１５０Ａ内に位置する第１差込孔列１６２Ａのいずれかの差込孔１６１Ｅ〜１６１Ａに差し込まれる。これに応じて差込突起１７２Ｂ、１７２Ｃ及び１７２Ｄは、第２差込可能範囲１５０Ｂ内に位置する第２差込孔列１６２Ｂのいずれかの差込孔１６１Ｌ〜１６１Ｇに差し込まれる。
【０２５０】
これによりフロントガイド２６及び差込部１７０の前面線Ｆは、長さ６Ｙ、１０Ｙ、１４Ｙ又は１８Ｙといった長さ４Ｙを周期とする離散した箇所に位置することができる。
【０２５１】
ここで、保持基準点Ｑからフロントガイド２６及び差込部１７０の前面線Ｆまでの距離、すなわち保持基準点Ｑを基準とした位置を第１保持形態〜第４保持形態の間で比較すると、例えば長さ３Ｙ及び４Ｙのように、両者の間の最小距離が長さＹとなっており、Ｙ方向に関する差込孔１６１の周期である長さ４Ｙよりも短くなっている。
【０２５２】
従って位置調整部１２５は、保持部１５０に対する調整板１６０の方向及び面を互いに相違させた第１保持形態、第２保持形態、第３保持形態及び第４保持形態を組み合わせることにより、フロントガイド２６及び差込部１７０の前面線Ｆを、３Ｙ、４Ｙ、５Ｙ、６Ｙ、…、１９Ｙ、２０Ｙ又は２１Ｙといった長さＹごとの離散した箇所に位置させることができる。
【０２５３】
他の観点から見れば、位置調整部１２５では、第１の実施の形態と同様、調整板１６０の第１差込孔列１６２Ａ及び第２差込孔列１６２Ｂにそれぞれ穿設された各差込孔１６１が、加工方法等の制約によりＹ方向に長さ４Ｙの周期となっている。
【０２５４】
このため位置調整部１２５では、単純に調整板１６０の第１差込孔列１６２Ａ及び第２差込孔列１６２Ｂに対する差込突起１７２Ａ〜１７２Ｄの差込位置を調整するだけでは、フロントガイド２６及び差込部１７０の前面線Ｆの位置を長さ４Ｙごとにしか調整できない。
【０２５５】
そこで調整板１６０（図１４（Ａ））では、第１端辺１６０Ｅ１から差込孔１６１Ａまでの距離と第２端辺１６０Ｅ２から差込孔１６１Ｌまでの距離とを長さ２Ｙだけ相違させ、また第１端辺１６０Ｅ１から差込孔１６１Ｆまでの距離と第２端辺１６０Ｅ２から差込孔１６１Ｇまでの距離とを長さ２Ｙだけ相違させた。
【０２５６】
また調整板１６０では、第１差込孔列１６２Ａの各差込孔１６１Ａ〜１６１Ｆと、第２差込孔列１６２Ｂの各差込孔１６１Ｇ〜１６１Ｌとを、互いにＸＹ平面上で半回転させた形状とした。
【０２５７】
このため位置調整部１２５は、第１保持形態（図１５（Ａ））及び第２保持形態（図１５（Ｂ））に示したように、調整板１６０がＸＹ平面上で半回転されることにより、保持基準点Ｑからの各差込孔１６１まで距離を互いに長さ２Ｙずつ相違させることができる。このような関係は、第３保持形態（図１５（Ｃ））及び第４保持形態（図１５（Ｄ））の間にも成立する。
【０２５８】
また調整板１６０では、図１４（Ｂ）に示したように、差込孔１６１Ａ等について、いずれもＹ方向の孔幅が長さ２Ｙである孔部１６１Ａ１及び孔部１６１Ａ３に対し、孔部１６１Ａ２をＹ方向に長さＹだけずらす（オフセットさせる）ように形成した。
【０２５９】
これと共に調整板１６０では、Ｙ方向に隣接する差込孔１６１同士の間隔をちょうど２Ｙとすることにより、ある差込孔１６１の領域Ｒ１（図１４（Ｃ））から見て、同一の差込孔１６１における領域Ｒ５及びＲ６までのＹ方向の距離と、隣接する差込孔１６１における領域Ｒ５及びＲ６までのＹ方向の距離を、いずれも長さＹとした（図１４（Ａ））。
【０２６０】
一方差込部１７０では、差込突起１７２Ｂ及び１７２Ｄに対し、差込突起１７２ＣをＹ方向に長さＹだけ間隔を空けるように位置させた（図１９）。
【０２６１】
このため位置調整部１２５では、差込突起１７２Ｃをある差込孔１６１の領域Ｒ１（図１４（Ｃ））に位置させよう差し込む際に、調整板１６０の方向に応じて、差込突起１７２Ｂ及び１７２Ｄを同じ差込孔１６１の領域Ｒ５及びＲ６に位置させることも、また隣接する差込孔１６１の領域Ｒ５及びＲ６に位置させることもできる。
【０２６２】
さらに調整板１６０では、第１差込孔列１６２Ａの各差込孔１６１Ａ〜１６１Ｅにおける領域Ｒ１（図１４（Ｃ））と、第２差込孔列１６２Ｂの各差込孔１６１Ｇ〜１６１Ｌにおける領域Ｒ１とを、Ｙ方向に長さＹだけ互いの位置をずらすように配置した（図１４（Ａ））。
【０２６３】
このため位置調整部１２５は、第１保持形態（図１５（Ａ））及び第３保持形態（図１５（Ｃ））に示したように、調整板１６０が前後方向に沿った回転軸を中心に半回転され、第１差込孔列１６２Ａと第２差込孔列１６２Ｂが左右に入れ替わることにより、保持基準点Ｑからの各差込孔１６１まで距離を互いにＹずつ相違させることができる。このような関係は、第２保持形態（図１５（Ｂ））及び第４保持形態（図１５（Ｄ））の間にも成立する。
【０２６４】
かくして位置調整部１２５では、４通りの保持形態である第１保持形態〜第４保持形態を適宜切り換えることにより、フロントガイド２６及び差込部１７０の前面線Ｆの位置を、第１差込孔列１６２Ａ及び第２差込孔列１６２Ｂにおける各差込孔１６１の周期である長さ４Ｙよりも大幅に短い長さＹごとに調整することができる。
【０２６５】
また保持部１５０は、保持アーム１５１及び１５２の先端に保持爪１５１Ｃ及び１５２Ｃをそれぞれ形成すると共に可撓性を持たせた。このため位置調整部１２５は、第１の実施の形態のように固定ねじ５５の取り付け作業や取り外し作業を行わせることなく、保持爪１５１Ｃ及び１５２Ｃを左右方向に広げるよう外力を加えさせ、又は外力を解放させるだけで、保持部１５０に調整板１６０を保持させることができる。
【０２６６】
さらに調整板１６０は、保持形態を切り換えて保持基準点Ｑから前面線Ｆまでの距離をそれぞれＹ＋ｎ×４Ｙ、２Ｙ＋ｎ×４Ｙ、３Ｙ＋ｎ×４Ｙ及びｎ×４Ｙ（ｎは自然数）とするときに、調整板１６０における前方を向く刻印１６０Ｌ１〜１６０Ｌ４の数字がそれぞれ「１」、「２」、「３」及び「４」となるように、すなわち距離を４Ｙで除算したときの剰余と一致するようにした。
【０２６７】
これにより位置調整部１２５では、保守作業員等により調整板１６０の保持形態を切り換えさせる際に、保持部準点Ｑから前面線Ｆまでの距離に応じた調整板１６０の面及び方向を直感的に把握させることができ、効率良く作業させることができる。
【０２６８】
その他の点においても、第２の実施の形態による位置調整部１２５は、第１の実施の形態による位置調整部２５と同様の作用効果を奏し得る。
【０２６９】
以上の構成によれば、第２の実施の形態による位置調整部１２５は、調整板１６０に穿設する差込孔１６１をクランク状に形成し、第１差込孔列１６２Ａ及び第２差込孔列１６２Ｂで互いの方向を反対に向けそれぞれＹ方向に沿って長さ４Ｙを周期として配列させ、また第１端辺１６０Ｅ１及び第２端辺１６０Ｅ２から各差込孔１６１までの距離を差込孔列同士で相違させた。さらに保持部１５０は、調整板１６０の方向及び面を相違させた４通りの保持形態で保持するようにした。このため位置調整部１２５は、第１保持形態〜第４保持形態を適宜切り換えることにより、フロントガイド２６に取り付けられた差込部１７０の差込突起１７２Ａ〜１７２Ｄをいずれかの差込孔１６１にそれぞれ差し込んだ際の前面線Ｆの位置を、長さＹ単位で調整することができる。
【０２７０】
［３．第３の実施の形態］
第３の実施の形態では、第１の実施の形態における位置調整部２５に代えて、位置調整部２２５によりフロントガイド２６の位置が調整されるようになされている。
【０２７１】
［３−１．位置調整部の構成］
位置調整部２２５は、図６及び図１２と対応する図１８に示すように、保持部５０、調整板６０及び差込部７０とそれぞれ対応する保持部２５０、調整板２６０及び差込部２７０により構成されている。
【０２７２】
［３−１−１．保持部の構成］
保持部２５０は、第２の実施の形態における保持部１５０とほぼ同様に構成されているものの、２個の第１差込可能範囲１５０Ａ及び第２差込可能範囲１５０Ｂに代えて、１個の差込可能範囲２５０Ａが設けられている点が相違する。
【０２７３】
差込可能範囲２５０Ａは、第１の実施の形態における差込可能範囲５０Ａとほぼ同様であり、保持基準点Ｑの後方における溝部１５１Ｄ及び１５２Ｄに挟まれた前後に長い範囲となっている。
【０２７４】
［３−１−２．調整板の構成］
調整板２６０は、図１４（Ａ）と対応する図１９に示すように、６個の差込孔２６１Ａ〜２６１Ｆでなる差込孔列２６２が設けられている。
【０２７５】
この調整板２６０は、第２の実施の形態における調整板１６０（図１２及び図１４）から第２差込孔列１６２Ｂの差込孔１６１Ｇ〜１６１Ｌが省略され、第１差込孔列１６２Ａの差込孔１６１Ａ〜１６１ＦをＸ方向の中央に移動したような構成となっている。
【０２７６】
このため各差込孔２６１Ａ〜２６１Ｆは、いずれも第２の実施の形態における差込孔１６１Ａと同形状であり、またＹ方向に隣接する差込孔２６１同士の間隔も、第２の実施の形態と同様に長さ２Ｙとなっている。
【０２７７】
ただしこの第３の実施の形態では、第２の実施の形態における差込孔１６１Ａの孔部１６１Ａ３（図１４（Ｂ））に相当する部分のＸ方向の長さが、長さＸ６では無く、孔部１６１Ａ１と同等の長さＸ４となっている（図１９）。
【０２７８】
また調整板２６０は、第１の実施の形態における調整板６０と同様、第２端辺２６０Ｅ２の近傍に数字の「１」及びこれを囲む円でなる刻印２６０Ｌ１が刻まれると共に、第１端辺２６０Ｅ１の近傍に数字の「２」及びこれを囲む円でなる刻印２６０Ｌ２が刻まれている。
【０２７９】
ここで調整板２６０は、図１５（Ａ）及び（Ｂ）とそれぞれ対応する図２０（Ａ）及び（Ｂ）に示すように、２通りの保持形態により保持部２５０に保持されるようになされている。
【０２８０】
このとき調整板２６０の差込孔列２６２は、いずれの保持形態においても差込可能範囲２５０Ａ内に位置している。
【０２８１】
図２０（Ａ）は、調整板２６０の第１端辺２６０Ｅ１を前方に向けて前側板２２の保持基準点Ｑに当接させ、第２端辺２６０Ｅ２を後方へ向けた保持形態となっている。以下、この保持形態をこの実施の形態における第１保持形態と呼ぶ。
【０２８２】
この第１保持形態において、保持基準点Ｑから各差込孔２６１Ａ〜２６１Ｆの領域Ｒ５及びＲ６（図１４（Ｃ））までの距離は、それぞれ２Ｙ、６Ｙ、…、及び２２Ｙとなる。
【０２８３】
またこの第１保持形態において、保持基準点Ｑから各差込孔２６１Ａ〜２６１Ｅの領域Ｒ１（図１４（Ｃ））までの距離は、図２０（Ａ）と対応する図２０（Ｃ）に示すように、それぞれ４Ｙ、８Ｙ、…、及び２０Ｙとなる。
【０２８４】
図２０（Ｂ）は、調整板２６０の第２端辺２６０Ｅ２を前方に向けて前側板２２の保持基準点Ｑに当接させ、第１端辺２６０Ｅ１を後方へ向けた保持形態となっている。以下、この保持形態をこの実施の形態における第２保持形態と呼ぶ。
【０２８５】
この第２保持形態において、保持基準点Ｑから各差込孔２６１Ｆ〜２６１Ｂの領域Ｒ５及びＲ６（図１４（Ｃ））までの距離は、それぞれ３Ｙ、７Ｙ、…、及び１９Ｙとなる。
【０２８６】
またこの第２保持形態において、保持基準点Ｑから各差込孔２６１Ｅ〜２６１Ａの領域Ｒ１（図１４（Ｃ））までの距離は、図２０（Ｂ）と対応する図２０（Ｄ）に示すように、それぞれ５Ｙ、７Ｙ、…、及び２１Ｙとなる。
【０２８７】
このように調整板２６０は、差込孔列２６２の差込孔２６１Ａ〜２６１Ｆを、Ｙ方向に沿って長さ４Ｙを周期とするよう位置させ、さらに第１端辺２６０Ｅ１から差込孔２６１Ａの領域Ｒ５及びＲ６までの距離と第２端辺６０Ｅ２から差込孔２６１Ｆの領域Ｒ５及びＲ６までの距離とを長さＹだけ相違させた。
【０２８８】
これにより調整板２６０は、第１保持形態及び第２保持形態で保持部２５０に保持された際の保持基準点Ｑから各差込孔２６１Ａ〜２６１Ｆにおける領域Ｒ５及びＲ６までの各距離を、互いに同等の長さ４Ｙを周期とし、且つ互いに長さＹずつ相違させている。
【０２８９】
また調整板２６０は、第２の実施の形態と同様、第１保持形態及び第２保持形態のそれぞれにおいて、保持部２５０に保持された際の保持基準点Ｑから各差込孔２６１Ａ〜２６１Ｆにおける領域Ｒ５及びＲ６までの各距離と、領域Ｒ１までの距離とを、互いに長さ２Ｙずつ相違させている。
【０２９０】
［３−１−３．差込部の構成］
差込部２７０は、図１８に示したように、基部２７１及び差込突起２７２を中心に構成されている。
【０２９１】
以下では、説明の都合上、図１８において前方向を向いている面を差込部２７０の第１面２７０Ｓ１と呼び、その反対面を第２面２７０Ｓ２と呼ぶ。
【０２９２】
基部２７１は、第１及の実施の形態における基部７１と同様、前後方向に薄い直方体状に形成されると共に、前後方向に貫通する２個のねじ孔２７３が穿設されている。
【０２９３】
差込突起２７２は、３本の差込突起２７２Ａ、２７２Ｂ及び２７２Ｃにより構成されている。差込突起２７２Ｂは、前後に薄く上下に細長い直方体状に形成されており、基部２７１の上面であって左右のほぼ中央における第１面２７０Ｓ１側の箇所から上方へ突出するように立設されている。
【０２９４】
差込突起２７２Ａ及び２７２Ｃは、いずれも差込突起２７２Ｂと同様に前後に薄く上下に細長い直方体状に形成されており、基部２７１の上面であって差込突起２７２Ｂの左右両側であって第２面２７０Ｓ２側の箇所から、それぞれ上方へ突出するように立設されている。
【０２９５】
かかる構成の差込部２７０は、第１及び第２の実施の形態と同様、２本の取付ねじ７４（図１９）によりフロントガイド２６の取付部２６Ａに取り付けられる。
【０２９６】
ここで差込部２７０は、第１及び第２の実施の形態と異なり、フロントガイド２６に対し２通りの取付方向で取り付け得るようになされている。
【０２９７】
すなわち差込部２７０は、図２１（Ａ）に示すように、第１面２７０Ｓ１を前方へ向けた状態でフロントガイド２６に取り付けられた場合、差込突起２７２Ａ及び２７２Ｃを前方に位置させ、差込突起２７２Ｂをそれよりも後方に位置させる。
【０２９８】
このとき差込突起２７２Ａ及び２７２Ｃは、図２２（Ａ）に示すように、平面図上でその前面をフロントガイド２６の前面と共に前面線Ｆ上に位置させる。以下、このように第１面２７０Ｓ１を前方に向けて差込部２７０をフロントガイド２６に取り付けた状態を第１差込形態と呼ぶ。
【０２９９】
また差込部２７０は、図２１（Ｂ）に示すように、第２面２７０Ｓ２を前方へ向けた状態でフロントガイド２６に取り付けられた場合、差込突起２７２Ｂを前方に位置させ、差込突起２７２Ａ及び２７２Ｃをそれよりも後方に位置させる。
【０３００】
このとき差込突起２７２Ｂは、図２２（Ｂ）に示すように、平面図上でその前面をフロントガイド２６の前面と共に前面線Ｆ上に位置させる。以下、このように第２面２７０Ｓ２を前方に向けて差込部２７０をフロントガイド２６に取り付けた状態を第２差込形態と呼ぶ。
【０３０１】
このように差込部２７０は、フロントガイド２６に対する取り付け方向が前後に半回転されることにより、差込突起２７２Ａ及び２７２Ｃの前面を前面線Ｆ上に位置させた第１差込形態と、差込突起２７２Ｂの前面を前面線Ｆ上に位置させた第２差込形態とを切り換え得るようになされている。
【０３０２】
［３−２．動作及び効果］
以上の構成において、第３の実施の形態による位置調整部２２５は、フロントガイド２６の上側及び下側の双方において、フロントガイド２６に取り付けられた差込部２７０の差込突起２７２Ａ〜２７２Ｃが、調整板２６０の差込孔列２６２における差込孔２６１Ａ〜２６１Ｆに差し込まれる。
【０３０３】
保持部２５０は、保持アーム１５１及び１５２の保持爪１５１Ｃ及び１５２Ｃを左右方向へ広げる外力が一時的に加えられた状態で、溝部１５１Ｄ及び１５２Ｄの間に調整板１６０が差し込まれ、外力が解放される。
【０３０４】
これにより保持部２５０は、差込孔列２６２を差込可能範囲２５０Ａ内に位置させるように当該調整板２６０を保持する。かくして位置調整部２２５は、差込部２７０が取り付けられたフロントガイド２６の位置を固定することができる。
【０３０５】
ここで、位置調整部２２５において、まず差込部２７０が第１差込形態（図２１（Ａ））であることにより、差込突起２７２Ａ及び２７２Ｃが差込突起２７２Ｂよりも前方にある場合を想定する。
【０３０６】
この第１差込形態において、さらに保持部２５０及び調整板２６０が第１保持形態である場合（図２０（Ａ））には、調整板２６０の第１端辺２６０Ｅ１が前方を向いて保持基準点Ｑと当接しており、第２端辺２６０Ｅ２が後方を向いている。
【０３０７】
図２０（Ａ）に示したように、例えば差込突起２７２Ａ、２７２Ｃ及び２７２Ｂが差込孔２６１Ａの領域Ｒ５、Ｒ６及びＲ１（図１４（Ｃ））に位置するとき、フロントガイド２６及び差込部２７０の前面線Ｆは、保持基準点Ｑからの距離が２Ｙとなる。
【０３０８】
また、差込突起２７２Ａ〜２７２Ｃが差込孔列２６２のいずれかの差込孔２６１Ａ〜２６１Ｆに差し込まれることにより、フロントガイド２６及び差込部２７０の前面線Ｆは、長さ２Ｙ、６Ｙ、１０Ｙ、１４Ｙ、１８Ｙ又は２２Ｙといった長さ４Ｙを周期とする離散した箇所に位置することができる。
【０３０９】
次に、差込部２７０が第１差込形態であり、且つ保持部２５０及び調整板２６０が第２保持形態である場合（図２０（Ｂ））には、調整板２６０の第２端辺２６０Ｅ２が前方を向いて保持基準点Ｑと当接しており、第１端辺２６０Ｅ１が後方を向いている。
【０３１０】
図２０（Ｂ）に示したように、例えば差込突起２７２Ａ及び２７２Ｃが差込孔２６１Ｆの領域Ｒ６及びＲ５（図１４（Ｃ））に位置し、且つ差込突起２７２Ｂが差込孔２６１Ｅの領域Ｒ１に位置するとき、フロントガイド２６及び差込部２７０の前面線Ｆは、保持基準点Ｑからの距離が３Ｙとなる。
【０３１１】
また、差込突起２７２Ａ〜２７２Ｃが差込孔列２６２のいずれかの差込孔２６１Ａ〜２６１Ｆに差し込まれることにより、フロントガイド２６及び差込部２７０の前面線Ｆは、長さ３Ｙ、７Ｙ、１１Ｙ、１５Ｙ又は１９Ｙといった長さ４Ｙを周期とする離散した箇所に位置することができる。
【０３１２】
今度は、位置調整部２２５において、差込部２７０が第２差込形態（図２１（Ｂ））であることにより、差込突起２７２Ｂが差込突起２７２Ａ及び２７２Ｃよりも前方にある場合を想定する。
【０３１３】
この第２差込形態において、さらに保持部２５０及び調整板２６０が第１保持形態である場合（図２０（Ｃ））には、図２０（Ａ）の場合と同様、調整板２６０の第１端辺２６０Ｅ１が前方を向いて保持基準点Ｑと当接しており、第２端辺２６０Ｅ２が後方を向いている。
【０３１４】
図２０（Ｃ）に示したように、例えば差込突起２７２Ｂが差込孔２６１Ａの領域Ｒ１（図１４（Ｃ））に位置し、且つ差込突起２７２Ｃ及び２７２Ａが差込孔２６１Ｂの領域Ｒ５及びＲ６に位置するとき、フロントガイド２６及び差込部２７０の前面線Ｆは、保持基準点Ｑからの距離が４Ｙとなる。
【０３１５】
また、差込突起２７２Ａ〜２７２Ｃが差込孔列２６２のいずれかの差込孔２６１Ａ〜２６１Ｆに差し込まれることにより、フロントガイド２６及び差込部２７０の前面線Ｆは、長さ４Ｙ、８Ｙ、１２Ｙ、１６Ｙ又は２０Ｙといった長さ４Ｙを周期とする離散した箇所に位置することができる。
【０３１６】
次に、差込部２７０が第２差込形態であり、且つ保持部２５０及び調整板２６０が第２保持形態である場合（図２０（Ｄ））には、図２０（Ｂ）の場合と同様、調整板２６０の第２端辺２６０Ｅ２が前方を向いて保持基準点Ｑと当接しており、第１端辺２６０Ｅ１が後方を向いている。
【０３１７】
図２０（Ｄ）に示したように、例えば差込突起２７２Ｂ、２７２Ｃ及び２７２Ａが差込孔２６１Ｅの領域Ｒ１、Ｒ５及びＲ６（図１４（Ｃ））に位置するとき、フロントガイド２６及び差込部２７０の前面線Ｆは、保持基準点Ｑからの距離が５Ｙとなる。
【０３１８】
また、差込突起２７２Ａ〜２７２Ｃが差込孔列２６２のいずれかの差込孔２６１Ａ〜２６１Ｅに差し込まれることにより、フロントガイド２６及び差込部２７０の前面線Ｆは、長さ５Ｙ、９Ｙ、１３Ｙ、１７Ｙ又は２１Ｙといった長さ４Ｙを周期とする離散した箇所に位置することができる。
【０３１９】
ここで、保持基準点Ｑからフロントガイド２６及び差込部２７０の前面線Ｆまでの距離、すなわち保持基準点Ｑを基準とした位置を各保持形態及び各差込形態の組み合わせの間で比較すると、例えば長さ３Ｙ及び４Ｙのように、両者の間の最小距離が長さＹとなっており、Ｙ方向に関する差込孔２６１の周期である長さ４Ｙよりも短くなっている。
【０３２０】
従って位置調整部２２５は、保持部１５０に対する調整板１６０の方向を互いに相違させた第１保持形態及び第２保持形態と、フロントガイド２６に対する差込部２７０の取り付け方向を互いに相違させた第１差込形態及び第２差込形態とを組み合わせることにより、フロントガイド２６及び差込部２７０の前面線Ｆを、２Ｙ、３Ｙ、４Ｙ、…、２１Ｙ及び２２Ｙといった間隔Ｙごとの離散した箇所に位置させることができる。
【０３２１】
他の観点から見れば、位置調整部２２５では、第１の実施の形態と同様、調整板２６０の差込孔列２６２に穿設された各差込孔２６１が、加工方法等の制約によりＹ方向に長さ４Ｙを周期として配置されている。
【０３２２】
このため位置調整部２２５では、単純に調整板２６０の差込孔列２６２に対する差込突起２７２Ａ〜１７２Ｃの差込位置を調整するだけでは、フロントガイド２６及び差込部２７０の前面線Ｆの位置を長さ４Ｙの間隔ごとにしか調整できない。
【０３２３】
そこで調整板２６０（図１９）では、差込孔２６１の形状及び隣接する差込孔２６１同士の間隔を第２の実施の形態と同様とし、さらに第１端辺２６０Ｅ１から差込孔２６１Ａまでの距離と第２端辺２６０Ｅ２から差込孔１６１Ｆまでの距離とを互いに相違させた。
【０３２４】
このため位置調整部２２５は、第１保持形態・第１差込形態の場合（図２０（Ａ））及び第２保持形態・第１差込形態の場合（図２０（Ｂ））として示したように、調整板２６０がＸＹ平面上で半回転されることにより、保持基準点Ｑからの各差込孔１６１まで距離を互いに長さＹずつ相違させることができる。このような関係は、第１保持形態・第２差込形態の場合（図２０（Ｃ））と第２保持形態・第２差込形態の場合（図２０（Ｄ））と間にも成立する。
【０３２５】
また調整板２６０では、第２の実施の形態における第１差込孔列１６２Ａの差込孔１６１と同様の形状及び配置間隔となるよう、差込孔列２６２の各差込孔２６１を形成した。
【０３２６】
このため調整板２６０では、第２の実施の形態と同様、ある差込孔２６１の領域Ｒ１（図１４（Ｃ））から見て、同一の差込孔２６１における領域Ｒ５及びＲ６までのＹ方向の距離と、隣接する差込孔２６１における領域Ｒ５及びＲ６までのＹ方向の距離とが、いずれも長さＹとなる（図１９）。
【０３２７】
一方、差込部２７０は、フロントガイド２６に対する取り付け方向が反転されることにより、差込突起２７２Ａ及び２７２Ｃを前面線Ｆに揃えた第１差込形態と、差込突起２７２Ｂを前面線Ｆに揃えた第２差込形態とを切り換え得るようにした（図２１、図２２）。
【０３２８】
これにより位置調整部２２５では、第１保持形態・第１差込形態の場合（図２０（Ａ））及び第１保持形態・第２差込形態の場合（図２０（Ｃ））として示したように、第１差込形態と第２差込形態とを切り換えることにより、保持基準点Ｑからフロントガイド２６及び差込部２７０の前面線Ｆの距離を互いに長さ２Ｙずつ相違させることができる。このような関係は、第２保持形態・第１差込形態の場合（図２０（Ｂ））と第２保持形態・第２差込形態の場合（図２０（Ｄ））と間にも成立する。
【０３２９】
かくして位置調整部２２５では、２通りの保持形態と２通りの差込形態とをそれぞれ適宜切り換えることにより、フロントガイド２６及び差込部２７０の前面線Ｆの位置を、差込孔列２６２における差込孔２６１の周期である長さ４Ｙよりも大幅に短い長さＹごとに調整することができる。
【０３３０】
その他の点においても、第３の実施の形態による位置調整部２２５は、第１の実施の形態による位置調整部２５と同様の作用効果を奏し得る。
【０３３１】
以上の構成によれば、第３の実施の形態による位置調整部２２５は、調整板２６０における差込孔列２６２の各差込孔２６１をＹ方向に沿って長さ４Ｙを周期とするよう配置し、第１端辺２６０Ｅ１及び第２端辺２６０Ｅ２から各差込孔２６１までの距離を、互いに長さＹずつ相違させた。また保持部２５０は、調整板２６０の方向を相違させた２通りの保持形態で保持するようにした。さらに差込部２７０は、フロントガイド２６に対する取付方向を前後に反転させた２通りの差込形態に切り換え得るようにした。そして位置調整部２２５は、第１保持形態及び第２保持形態と第１差込形態及び第２差込形態とを適宜切り換えることにより、フロントガイド２６に取り付けられた差込部２７０の差込突起２７２Ａ〜２７２Ｃをいずれかの差込孔１６１にそれぞれ差し込んだ際の前面線Ｆの位置を、長さＹ単位で調整することができる。
【０３３２】
［４．他の実施の形態］
なお上述した第１の実施の形態においては、差込孔６１のＸＹ平面上における形状を長方形とする場合について述べた。
【０３３３】
しかしながら本発明はこれに限らず、差込孔６１のＸＹ平面上における形状を正方形や多角形、或いは円形等、或いは第２及び第３の実施の形態のようにクランク状等、種々の形状としても良い。
【０３３４】
また上述した第１の実施の形態においては、差込突起７２の上面における形状を、差込孔６１のＸＹ平面上における形状とほぼ同等とするようにした場合について述べた。
【０３３５】
しかしながら本発明はこれに限らず、第３の実施の形態のように、差込突起２７２Ａ〜２７２Ｃの上面における形状を、差込孔２６１のＸＹ平面上における形状と相違させても良い。この場合、要は差込突起２７２Ａ〜２７２Ｃを差込孔２６１に差し込んだ際に、調整板２６０に対し差込部２７０の位置を固定することができれば良い。
【０３３６】
さらに上述した第１の実施の形態においては、調整板６０に差込孔列６２を１列のみ設け、保持部５０に対し当該調整板６０の取付方向を半回転させて２通りの保持形態とする際に、当該差込孔列６２を両保持形態で共用するようにした場合について述べた。
【０３３７】
しかしながら本発明はこれに限らず、保持部５０に対し当該調整板６０の取付方向を他の種々の角度単位で回転させ複数通りの保持形態とする際に一部の差込孔を共用するようにしても良く、或いは保持形態ごとに異なる差込孔列を利用するようにしても良くい。
【０３３８】
例えば図２３に示すように、調整板３６０を正方形板状に構成し、Ｙ方向に沿った差込孔列３６２ＡとＸ方向に沿った差込孔列３６２Ｂの双方を設け、両者が交差する位置にある差込孔３６１を共用するようにしても良い。
【０３３９】
この調整板３６０は、各差込列の各端辺からの間隔を長さＹ、２Ｙ、３Ｙ及び４Ｙのように互いに相違させておくことにより、保持部５０（図６）等に対し差し込む方向を９０度ずつ相違させることにより、４通りの保持形態に切り換えながら、保持基準点Ｑからの差込可能範囲５０Ａ内にある各差込孔までの距離を長さＹ単位で調整することができる。
【０３４０】
また例えば図２４（Ａ）に示すように、保持部５０と対応する保持部４５０において、保持アーム５１及び５２の中間よりも右寄りの箇所に差込可能範囲４５０Ａを設定しておく。また図７と対応する図２４（Ｂ）に示すように、調整板６０と対応する調整板４６０において、２列の差込孔列４６２Ａ及び４６２Ｂを穿設し、端辺４６０Ｅ１及び４６０Ｅ２からの各差込孔４６１までの間隔を長さＹ、２Ｙ、３Ｙ及び４Ｙの４通りに相違させておく。
【０３４１】
保持部４５０は、調整板４６０を保持する際の方向及び面を反転させることにより、差込可能範囲４５０Ａ内に差込孔列４６２Ａ又は４６２Ｂのいずれか一方のみを位置させ、保持基準点Ｑからの差込可能範囲４５０Ａ内にある各差込孔４６１までの距離を長さＹ単位で調整することができる。
【０３４２】
さらにこの場合、調整板４６０に代わる調整板５６０のように、４つの端辺それぞれに沿うように４列の差込孔列５６２Ａ、５６２Ｂ、５６２Ｃ及び５６２Ｄを設け、各端辺から各差込孔までの距離を８通りに相違させることにより、８通りの保持形態を切り換えながら、保持基準点Ｑからの差込可能範囲４５０Ａ（図２４（Ａ））内にある各差込孔までの距離を長さ０．５Ｙ単位で調整することができる。
【０３４３】
すなわち本発明では、保持部に対する調整板の方向及び面を相違させてｎ通り（ｎは２以上の整数）の保持形態を取り得るようにし、各差込孔列が差込可能範囲内にあるときの各差込孔の位置を保持形態ごとに差込孔の周期の１／ｎずつ相違させることで、この周期の１／ｎの長さごとにで、差込部の位置を細かく調整することが可能となる。
【０３４４】
さらに上述した第１の実施の形態においては、調整板６０を扁平な直方体状、すなわち長方形板状とし、当該調整板６０を厚さ方向に貫通するように各差込孔６１を穿設するようにした場合について述べた。
【０３４５】
しかしながら本発明はこれに限らず、例えば調整板６０を立方体状等の各種多面体状に構成し、保持部５０を当該多面体を保持し得るよう構成するようにしても良い。この場合、調整板６０に穿設する差込孔６１は、当該調整板６０を貫通せずに差込部７０の差込突起７２を十分に差し込み得る程度の深さの孔としても良い。第２及び第３の実施の形態についても同様である。
【０３４６】
さらに上述した第１の実施の形態においては、調整板６０における第１端辺６０Ｅ１から差込孔６１Ａまでの間隔と第２端辺６０Ｅ２から差込孔６１Ｅまでの間隔とを相違させることにより、保持部５０が当該調整板６０を保持した際の保持基準点Ｑから各差込孔６１までの間隔を保持形態ごとに相違させるようにした場合について述べた。
【０３４７】
しかしながら本発明はこれに限らず、保持形態ごとの保持基準点Ｑから各差込孔６１までの間隔を、種々の手法により相違させるようにしても良い。
【０３４８】
例えば図２６（Ａ）に示すように、保持部５０（図６）と対応する保持部６５０は、保持アーム５１及び５２と対応する保持アーム６５１及び６５２を有している。保持アーム６５１及び６５２に形成された溝部６５１Ｄ及び６５２Ｄは、前端近傍において、前側板２２上の保持基準点Ｑから後方に長さ２Ｙの部分でなる位置決め部６５１Ｅ及び６５２Ｅにより埋められている。
【０３４９】
一方、調整板６０と対応する調整板６６０は、図７と対応する図２６（Ｂ）に示すように、第１端辺６６０Ｅ１から差込孔６６１Ａまでの間隔と第２端辺６６０Ｅ２から差込孔６６１Ｅまでの間隔がいずれも長さ２Ｙで統一されているものの、第１端辺６６０Ｅ１の両端部分のみ、Ｙ方向へ長さ２Ｙに渡り切り欠かれた切欠部６６５Ａ及び６６５Ｂがそれぞれ形成されている。
【０３５０】
かかる構成により保持部６５０は、図２７（Ａ）に第１保持形態として示すように、調整板６６０の第１端辺６６０Ｅ１側を前方へ向けるように保持する際、位置決め部６５１Ｅ及び６５２Ｅを切欠部６６５Ａ及び６６５Ｂによりそれぞれ回避させる。このため調整板６６０は、第１端辺６６０Ｅ１を前側板２２に当接させ、保持基準点Ｑから差込孔６６１Ａまでの間隔を長さ２Ｙとする。
【０３５１】
一方保持部６５０は、図２７（Ｂ）に第２保持形態として示すように、調整板６６０の第２端辺６６０Ｅ２側を前方へ向けるように保持する際、位置決め部６５１Ｅ及び６５２Ｅを第２端辺６６０Ｅ２における両端部分とそれぞれ当接させる。このため調整板６６０は、第２端辺６６０Ｅ２を前側板２２から長さ２Ｙだけ浮き上がった（離れた）状態となり、保持基準点Ｑから差込孔６６１Ｅまでの間隔を長さ４Ｙとする。
【０３５２】
このように保持部６５０及び調整板６６０は、保持形態ごとに保持基準点Ｑから調整板６６０までの距離を相違させることによっても、保持基準点Ｑから差込孔までの間隔を相違させることができる。第２及び第３の実施の形態についても同様である。
【０３５３】
さらに上述した第２の実施の形態においては、差込部１７０に４本の差込突起１７２Ａ〜１７２Ｄを設け、いずれも調整板１６０の各差込孔１６１に差し込むようにした場合について述べた。
【０３５４】
しかしながら本発明はこれに限らず、例えば差込突起１７２Ａを省略することにより３本の差込突起１７２Ｂ〜１７２Ｄのみとし、これらを調整板１６０の各差込孔１６１に差し込むようにしても良い。この場合、各保持形態において、実質的に第１差込可能範囲１５０Ａ内にある各差込孔は用いられず、第２差込可能範囲１５０Ｂ内にある各差込孔のみ用いられることになる。
【０３５５】
さらに上述した第２の実施の形態においては、調整板１６０に第１差込孔列１６２Ａ及び第２差込孔列１６２Ｂといった２列の差込孔列を設けるようにした場合について述べた。
【０３５６】
しかしながら本発明はこれに限らず、例えば調整板１６０に３列以上の差込孔列を設けるようにしても良い。
【０３５７】
さらに上述した第３の実施の形態においては、差込部２７０に３本の差込突起２７２Ａ〜２７２Ｃを設け、これらを調整板２６０の各差込孔２６１に差し込むようにした場合について述べた。
【０３５８】
しかしながら本発明はこれに限らず、例えば図１８の一部と対応する図２８（Ａ）に示すように、差込部２７０に代わる差込部７７０において、基部７７１の上面に１本の差込突起７７２のみを設けるようにしても良い。
【０３５９】
この差込突起７７２は、第２の実施の形態における差込突起１７２Ａとほぼ同様に構成されており、また図２８（Ａ）における前側面である第１面７７０Ｓ１と前面を揃えるように、基部７７１の上面における偏った位置に立設されている。
【０３６０】
また差込部７７０は、差込部２７０（図２１（Ａ）及び（Ｂ））と同様、フロントガイド２６に対し２通りの取付方向で取り付けられるようになされている。すなわち差込部７７０は、図２２（Ａ）と対応する図２８（Ｂ）に平面図を示すように、第１差込形態においては、差込突起７７２の前面を前面線Ｆと重ねている。また差込部７７０は、図２２（Ｂ）と対応する図２８（Ｃ）に平面図を示すように、第２差込形態においては、差込突起７７２の前面を前面線Ｆから長さ２Ｙだけ引き離している。
【０３６１】
かかる構成により差込部７７０は、図２０（Ａ）〜（Ｄ）とそれぞれ対応する図２９（Ａ）〜（Ｄ）に示すように、第３の実施の形態と同様に、第１保持形態及び第２保持形態と第１差込形態及び第２保持形態とをそれぞれ適宜切り換えることにより、第３の実施の形態と同様に、保持基準点Ｑからの前面線Ｆを、２Ｙ、３Ｙ、…、２１Ｙ及び２２Ｙといった長さＹごとの離散した箇所に位置させることができる。
【０３６２】
さらに上述した第３の実施の形態においては、フロントガイド２６に差込部２７０を取り付ける際の取付方向を１８０度相違させる（すなわち前後方向に反転させる）ことにより、２通りの差込形態に切り換えるようにした場合について述べた。
【０３６３】
しかしながら本発明はこれに限らず、例えばフロントガイド２６に差込部２７０を取り付ける際の取付方向を９０度ずつ４方向に相違させることにより、４通りの差込形態に切り換える等、取付可能な方向の数に応じた種々の数の差込形態に切り換えるようにしても良い。この場合、差込形態ごとに、差込突起２７２Ａ等を差込孔２６１に差し込んだときの前面線Ｆの位置を、差込孔列２６２における差込孔２６１の周期（例えば長さ４Ｙ）よりも短い距離だけ相違させ得ることが好ましい。
【０３６４】
さらに上述した第１の実施の形態においては、差込部７０に設けた差込突起７２を上下に細長い直方体状とし、調整板６０の差込孔６１を上下方向に穿設された角孔として、差込突起７２を差込孔列６２のいずれかの差込孔６１に差し込むようにした場合について述べた。
【０３６５】
しかしながら本発明はこれに限らず、例えば差込部７０に代えて上面にねじ孔が穿設されたねじ孔部をフロントガイド２６に取り付け、調整板６０に各差込孔６１に代わる所定径の丸孔でなる挿通孔を複数穿設し、差込突起７２に代わる取付ねじを調整板６０のいずれかの挿通孔を通してねじ孔部に螺合させることにより、調整板６０に対するねじ孔部の前後方向の位置を調整して固定するようにしても良い。
【０３６６】
また、例えば図３０（Ａ）及び（Ｂ）に示すように、調整板６０に代わる調整板８６０において、各差込孔６１に代えて下面８６０Ｓ１に小さな半球状の突起でなる嵌合突起８６１を複数突設させても良い。この場合、図３１（Ａ）及び（Ｂ）に示すように、差込部７０に代わる被調整体８７０において、基部８７１の上面に上下に短い直方体状の突出部８７２を設け、当該突出部８７２の上面に嵌合突起８６１と嵌り合う形状の嵌合窪み８７２Ｄを形成する。この構成では、フロントガイド２６の上下それぞれの位置調整部においていずれかの嵌合突起８６１に嵌合窪み８７２Ｄを嵌合させることにより、調整板８６０を保持する保持部５０に対し、被調整体８７０の前後方向の位置を調整して固定することができる。
【０３６７】
このように本発明では、調整板６０に複数配置された種々の形状でなる嵌合部のいずれかと、フロントガイド２６に取り付けられる差込部７０や被調整体８７０に形成された種々の形状でなる被嵌合部とを互いに嵌合させることにより、調整板６０を保持する保持部５０に対し、フロントガイド２６の位置を前後方向に調整した上で容易に移動しないよう固定することができれば良い。第２及び第３の実施の形態についても同様である。
【０３６８】
さらに上述した第１の実施の形態においてはワッシャ５４及び固定ねじ５５を用い、第２の実施の形態においては保持爪１５１Ｃ及び１５２Ｃを用いることにより、保持部５０等により調整板６０等を取り外し可能に保持するようにした場合について述べた。
【０３６９】
しかしながら本発明はこれに限らず、他の種々の手法により保持部５０等により調整板６０等を取り外し可能に保持するようにしても良い。
【０３７０】
さらに上述した第１の実施の形態においては、１本のフロントガイド２６における上端及び下端に合わせて２個の位置調整部２５を設けるようにした場合について述べた。
【０３７１】
しかしながら本発明はこれに限らず、１本のフロントガイド２６に対し１個又は３個以上の位置調整部２５を設けるようにしても良い。第２及び第３の実施の形態についても同様である。
【０３７２】
さらに上述した第１の実施の形態においては、現金自動預払機１に搭載される紙幣カセット１７内において、フロントガイド２６の前後方向の位置を調整するようにした場合について述べた。
【０３７３】
しかしながら本発明はこれに限らず、種々の装置における種々の部品の位置を調整するようにしても良い。特に本発明は、調整板６０のように差込孔６１の最小間隔、すなわち最小周期が制限されている場合に、当該最小周期よりも短い間隔で位置を調整する箇所に好適である。
【０３７４】
さらに上述した第１の実施の形態においては、調整体としての調整板６０と、保持部としての保持部５０と、被調整体としての差込部７０とによって位置調整装置としての位置調整部２５を構成する場合について述べた。
【０３７５】
しかしながら本発明はこれに限らず、その他種々の構成でなる調整体と、保持部と、被調整体とによって位置調整装置を構成するようにしても良い。
【０３７６】
さらに上述した第１の実施の形態においては、固定側部としてのリバースガイド２４と、調整体としての調整板６０と、保持部としての保持部５０と、被調整体としての差込部７０と、可動側部としてのフロントガイド２６とによって紙葉類処理装置としての現金自動預払機１を構成する場合について述べた。
【０３７７】
しかしながら本発明はこれに限らず、その他種々の構成でなる固定側部と、調整体と、保持部と、被調整体と、可動側部とによって紙葉類処理装置を構成するようにしても良い。
【産業上の利用可能性】
【０３７８】
本発明は、加工可能な周期よりも細かい精度で本体に対する部品の位置を調整する種々の装置でも利用できる。
【符号の説明】
【０３７９】
１……現金自動預払機、１７……紙幣カセット、２２……前側板、２４……リバースガイド、２５、１２５、２２５……位置調整部、２６……フロントガイド、２７……ビルストッパ、２８……ステージ、５０、１５０、２５０……保持部、５０Ａ、２５０Ａ……差込可能範囲、５１、５２、１５１、１５２……保持アーム、６０、１６０、２６０……調整板、６０Ｅ１、１６０Ｅ１、２６０Ｅ１……第１端辺、６０Ｅ２、１６０Ｅ２、２６０Ｅ２……第２端辺、６１、１６１、２６１……差込孔、６２、２６２……差込孔列、７０、１７０、２７０……差込部、７２、１７２Ａ、１７２Ｂ、１７２Ｃ、１７２Ｄ、２７２Ａ、２７２Ｂ、２７２Ｃ……差込突起、１５０Ａ……第１差込可能範囲、１５０Ｂ……第２差込可能範囲、１６０Ｓ１……第１面、１６０Ｓ２……第２面、１６１Ａ１、１６１Ａ２、１６１Ａ３……孔部、１６２Ａ……第１差込孔列、１６２Ｂ……第２差込孔列、ＢＬ……紙幣、Ｆ……前面線、Ｐ……差込孔中心点、Ｑ……保持基準点、Ｒ１、Ｒ２、Ｒ３、Ｒ４、Ｒ５、Ｒ６……領域。
【図１】
2014098997.tif 000003
【図２】
2014098997.tif 000004
【図３】
2014098997.tif 000005
【図４】
2014098997.tif 000006
【図５】
2014098997.tif 000007
【図６】
2014098997.tif 000008
【図７】
2014098997.tif 000009
【図８】
2014098997.tif 000010
【図９】
2014098997.tif 000011
【図１０】
2014098997.tif 000012
【図１１】
2014098997.tif 000013
【図１２】
2014098997.tif 000014
【図１３】
2014098997.tif 000015
【図１４】
2014098997.tif 000016
【図１５】
2014098997.tif 000017
【図１６】
2014098997.tif 000018
【図１７】
2014098997.tif 000019
【図１８】
2014098997.tif 000020
【図１９】
2014098997.tif 000021
【図２０】
2014098997.tif 000022
【図２１】
2014098997.tif 000023
【図２２】
2014098997.tif 000024
【図２３】
2014098997.tif 000025
【図２４】
2014098997.tif 000026
【図２５】
2014098997.tif 000027
【図２６】
2014098997.tif 000028
【図２７】
2014098997.tif 000029
【図２８】
2014098997.tif 000030
【図２９】
2014098997.tif 000031
【図３０】
2014098997.tif 000032
【図３１】
2014098997.tif 000033
【図３２】
2014098997.tif 000034
【図３３】
2014098997.tif 000035
【図３４】
2014098997.tif 000036